(57)【特許請求の範囲】
【請求項１】
無線通信システムにおける端末（ＵＥ）の制御信号モニタリング方法であって、
ＲＲＣ（ｒａｄｉｏ  ｒｅｓｏｕｒｃｅ  ｃｏｎｔｒｏｌ）シグナリングを通じて、ＣＳＩ−ＲＳ（ｃｈａｎｎｅｌ  ｓｔａｔｅ  ｉｎｆｏｒｍａｔｉｏｎ−  ｒｅｆｅｒｅｎｃｅ  ｓｉｇｎａｌ）それぞれのＱＣＬ（Ｑｕａｓｉ  Ｃｏ  Ｌｏｃａｔｉｏｎ）の基準に関するＣＳＩ−ＲＳ設定情報を受信し、
ＲＲＣシグナリングを通じて、複数の制御資源集合（ｃｏｎｔｒｏｌ  ｒｅｓｏｕｒｃｅ  ｓｅｔ：ＣＯＲＥＳＥＴ：コアセット）それぞれに対する少なくとも一つの送信設定指示（Ｔｒａｎｓｍｉｓｓｉｏｎ  Ｃｏｎｆｉｇｕｒａｔｉｏｎ  Ｉｎｄｉｃａｔｉｏｎ：ＴＣＩ）状態に関する設定情報を受信し、
前記複数のＣＯＲＥＳＥＴで物理ダウンリンク制御チャネル（ｐｈｙｓｉｃａｌ  ｄｏｗｎｌｉｎｋ  ｃｏｎｔｒｏｌ  ｃｈａｎｎｅｌ：ＰＤＣＣＨ）のモニタリング時点（ｏｃｃａｓｉｏｎ）が重なる（ｏｖｅｒｌａｐ）場合、前記複数のＣＯＲＥＳＥＴそれぞれの検索空間タイプ（ｓｅａｒｃｈ  ｓｐａｃｅ  ｔｙｐｅ）に基づいて、前記複数のＣＯＲＥＳＥＴの内の少なくとも一つのＣＯＲＥＳＥＴを選択し、及び
前記複数のＣＯＲＥＳＥＴの内の前記選択された少なくとも一つのＣＯＲＥＳＥＴのみで少なくとも一つのＰＤＣＣＨをモニタリングし、
ｉ）第１ＣＯＲＥＳＥＴを含むように選択された前記少なくとも一つのＣＯＲＥＳＥＴ；
ｉｉ）第１ＣＳＩ−ＲＳとＱＣＬ関連とを指示する前記第１ＣＯＲＥＳＥＴの為の第１ＴＣＩ状態、及び、第２ＣＳＩ−ＲＳとＱＣＬ関連とを指示する第２ＣＯＲＥＳＥＴの為の第２ＴＣＩ状態；並びに、
ｉｉｉ）前記ＣＳＩ−ＲＳ設定情報により、同一のＳＳＢ（ｓｙｎｃｈｒｏｎｉｚａｔｉｏｎ  ｓｉｇｎａｌ／ＰＢＣＨ  ｂｌｏｃｋ）に関連付けられている前記第１ＣＳＩ−ＲＳ及び前記第２ＣＳＩ−ＲＳ；に基づいて、
前記少なくとも一つのＰＤＣＣＨは前記第１ＣＯＲＥＳＥＴ及び前記第２ＣＯＲＥＳＥＴの両方でモニタリングする、方法。
【請求項２】
前記少なくとも一つの制御資源集合を選択することにおいて、共通検索空間（ｃｏｍｍｏｎ  ｓｅａｒｃｈ  ｓｐａｃｅ：ＣＳＳ）を含む制御資源集合の優先順位が端末特定的検索空間（ＵＥ−ｓｐｅｃｉｆｉｃ  ｓｅａｒｃｈ  ｓｐａｃｅ：ＵＳＳ）を含む制御資源集合の優先順位に比べて高い、請求項１に記載の方法。
【請求項３】
前記少なくとも一つの制御資源集合を選択することにおいて、共通検索空間（ｃｏｍｍｏｎ  ｓｅａｒｃｈ  ｓｐａｃｅ：ＣＳＳ）を含む制御資源集合が複数個ある場合、最も低いインデックスを有する共通検索空間を含む制御資源集合を選択する、請求項１に記載の方法。
【請求項４】
前記複数の制御資源集合のうち、共通検索空間（ｃｏｍｍｏｎ  ｓｅａｒｃｈ  ｓｐａｃｅ：ＣＳＳ）を含む最も低いインデックスのセルから最も低いインデックスのＣＳＳ集合に対応する制御資源集合を選択する、請求項１に記載の方法。
【請求項５】
前記第１制御資源集合と前記第２制御資源集合は、同一のＱＣＬ（Ｑｕａｓｉ  Ｃｏ  Ｌｏｃａｔｉｏｎ）特性を有する制御資源集合であると仮定される、請求項１に記載の方法。
【請求項６】
前記ＱＣＬ特性は、空間受信パラメータ（ｓｐａｔｉａｌ  Ｒｘ  ｐａｒａｍｅｔｅｒ）に関する、請求項５に記載の方法。
【請求項７】
前記ＱＣＬの基準は、ＳＳＢ、又は、他の基準シグナルである、請求項１に記載の方法。
【請求項８】
前記検索空間タイプは、共通検索空間（ｃｏｍｍｏｎ  ｓｅａｒｃｈ  ｓｐａｃｅ：ＣＳＳ）、又は、端末特定的検索空間（ＵＥ−ｓｐｅｃｉｆｉｃ  ｓｅａｒｃｈ  ｓｐａｃｅ：ＵＳＳ）である、請求項１に記載の方法。
【請求項９】
前記第１ＣＯＲＥＳＥＴの為にＴＣＩ状態の内の前記第１ＴＣＩ状態を通知する第１ＭＡＣ（Ｍｅｄｉｕｍ  Ａｃｃｅｓｓ  Ｃｏｎｔｒｏｌ）  ＣＥ（Ｃｏｎｔｒｏｌ  Ｅｌｅｍｅｎｔ）、及び、前記第２ＣＯＲＥＳＥＴの為にＴＣＩ状態の内の前記第２ＴＣＩ状態を通知する第２ＭＡＣ  ＣＥを受信する、請求項１に記載の方法。
【請求項１０】
端末（Ｕｓｅｒ  Ｅｑｕｉｐｍｅｎｔ：ＵＥ）であって、
無線信号を送信及び受信する送受信機（Ｔｒａｎｓｃｅｉｖｅｒ）と、
前記送受信機と結合して動作するプロセッサとを備えてなり、
前記プロセッサは、
ＲＲＣ（ｒａｄｉｏ  ｒｅｓｏｕｒｃｅ  ｃｏｎｔｒｏｌ）シグナリングを通じて、ＣＳＩ−ＲＳ（ｃｈａｎｎｅｌ  ｓｔａｔｅ  ｉｎｆｏｒｍａｔｉｏｎ−  ｒｅｆｅｒｅｎｃｅ  ｓｉｇｎａｌ）それぞれのＱＣＬ（Ｑｕａｓｉ  Ｃｏ  Ｌｏｃａｔｉｏｎ）の基準に関するＣＳＩ−ＲＳ設定情報を受信し、
ＲＲＣシグナリングを通じて、複数の制御資源集合（ｃｏｎｔｒｏｌ  ｒｅｓｏｕｒｃｅ  ｓｅｔ：ＣＯＲＥＳＥＴ：コアセット）それぞれに対する少なくとも一つの送信設定指示（Ｔｒａｎｓｍｉｓｓｉｏｎ  Ｃｏｎｆｉｇｕｒａｔｉｏｎ  Ｉｎｄｉｃａｔｉｏｎ：ＴＣＩ）状態に関する設定情報を受信し、
前記複数のＣＯＲＥＳＥＴで物理ダウンリンク制御チャネル（ｐｈｙｓｉｃａｌ  ｄｏｗｎｌｉｎｋ  ｃｏｎｔｒｏｌ  ｃｈａｎｎｅｌ：ＰＤＣＣＨ）のモニタリング時点（ｏｃｃａｓｉｏｎ）が重なる（ｏｖｅｒｌａｐ）場合、前記複数のＣＯＲＥＳＥＴそれぞれの検索空間タイプ（ｓｅａｒｃｈ  ｓｐａｃｅ  ｔｙｐｅ）に基づいて、前記複数のＣＯＲＥＳＥＴの内の少なくとも一つのＣＯＲＥＳＥＴを選択し、及び
前記複数のＣＯＲＥＳＥＴの内の前記選択された少なくとも一つのＣＯＲＥＳＥＴのみで少なくとも一つのＰＤＣＣＨをモニタリングし、
ｉ）第１ＣＯＲＥＳＥＴを含むように選択された前記少なくとも一つのＣＯＲＥＳＥＴ；
ｉｉ）第１ＣＳＩ−ＲＳとＱＣＬ関連とを指示する前記第１ＣＯＲＥＳＥＴの為の第１ＴＣＩ状態、及び、第２ＣＳＩ−ＲＳとＱＣＬ関連とを指示する第２ＣＯＲＥＳＥＴの為の第２ＴＣＩ状態；並びに、
ｉｉｉ）前記ＣＳＩ−ＲＳ設定情報により、同一のＳＳＢ（ｓｙｎｃｈｒｏｎｉｚａｔｉｏｎ  ｓｉｇｎａｌ／ＰＢＣＨ  ｂｌｏｃｋ）に関連付けられている前記第１ＣＳＩ−ＲＳ及び前記第２ＣＳＩ−ＲＳ；に基づいて、
前記少なくとも一つのＰＤＣＣＨは前記第１ＣＯＲＥＳＥＴ及び前記第２ＣＯＲＥＳＥＴの両方でモニタリングする、端末。
【請求項１１】
前記少なくとも一つの制御資源集合を選択することにおいて、共通検索空間（ｃｏｍｍｏｎ  ｓｅａｒｃｈ  ｓｐａｃｅ：ＣＳＳ）を含む制御資源集合の優先順位が端末特定的検索空間（ＵＥ−ｓｐｅｃｉｆｉｃ  ｓｅａｒｃｈ  ｓｐａｃｅ：ＵＳＳ）を含む制御資源集合の優先順位に比べて高い、請求項１０に記載の端末。
【請求項１２】
前記少なくとも一つの制御資源集合を選択することにおいて、共通検索空間（ｃｏｍｍｏｎ  ｓｅａｒｃｈ  ｓｐａｃｅ：ＣＳＳ）を含む制御資源集合が複数個ある場合、最も低いインデックスを有する共通検索空間を含む制御資源集合を選択する、請求項１０に記載の端末。
【請求項１３】
前記複数の制御資源集合のうち、共通検索空間（ｃｏｍｍｏｎ  ｓｅａｒｃｈ  ｓｐａｃｅ：ＣＳＳ）を含む最も低いインデックスのセルから最も低いインデックスのＣＳＳ集合に対応する制御資源集合を選択する、請求項１０に記載の端末。
【請求項１４】
前記第１制御資源集合と前記第２制御資源集合は、同一のＱＣＬ（Ｑｕａｓｉ  Ｃｏ  Ｌｏｃａｔｉｏｎ）特性を有する制御資源集合であると仮定される、請求項１０に記載の端末。
【請求項１５】
前記ＱＣＬ特性は、空間受信パラメータ（ｓｐａｔｉａｌ  Ｒｘ  ｐａｒａｍｅｔｅｒ）に関する、請求項１４に記載の端末。
【請求項１６】
前記ＱＣＬの基準は、ＳＳＢ、又は、他の基準シグナルである、請求項１０に記載の端末。
【請求項１７】
前記検索空間タイプは、共通検索空間（ｃｏｍｍｏｎ  ｓｅａｒｃｈ  ｓｐａｃｅ：ＣＳＳ）、又は、端末特定的検索空間（ＵＥ−ｓｐｅｃｉｆｉｃ  ｓｅａｒｃｈ  ｓｐａｃｅ：ＵＳＳ）である、請求項１０に記載の端末。
【請求項１８】
前記第１ＣＯＲＥＳＥＴの為にＴＣＩ状態の内の前記第１ＴＣＩ状態を通知する第１ＭＡＣ（Ｍｅｄｉｕｍ  Ａｃｃｅｓｓ  Ｃｏｎｔｒｏｌ）  ＣＥ（Ｃｏｎｔｒｏｌ  Ｅｌｅｍｅｎｔ）、及び、前記第２ＣＯＲＥＳＥＴの為にＴＣＩ状態の内の前記第２ＴＣＩ状態を通知する第２ＭＡＣ  ＣＥを受信する、請求項１０に記載の端末。
【請求項１９】
無線通信装置を制御するプロセッサであって、
ＲＲＣ（ｒａｄｉｏ  ｒｅｓｏｕｒｃｅ  ｃｏｎｔｒｏｌ）シグナリングを通じて、ＣＳＩ−ＲＳ（ｃｈａｎｎｅｌ  ｓｔａｔｅ  ｉｎｆｏｒｍａｔｉｏｎ−  ｒｅｆｅｒｅｎｃｅ  ｓｉｇｎａｌ）それぞれのＱＣＬ（Ｑｕａｓｉ  Ｃｏ  Ｌｏｃａｔｉｏｎ）の基準に関するＣＳＩ−ＲＳ設定情報を受信し、
ＲＲＣシグナリングを通じて、複数の制御資源集合（ｃｏｎｔｒｏｌ  ｒｅｓｏｕｒｃｅ  ｓｅｔ：ＣＯＲＥＳＥＴ：コアセット）それぞれに対する少なくとも一つの送信設定指示（Ｔｒａｎｓｍｉｓｓｉｏｎ  Ｃｏｎｆｉｇｕｒａｔｉｏｎ  Ｉｎｄｉｃａｔｉｏｎ：ＴＣＩ）状態に関する設定情報を受信し、
前記複数のＣＯＲＥＳＥＴで物理ダウンリンク制御チャネル（ｐｈｙｓｉｃａｌ  ｄｏｗｎｌｉｎｋ  ｃｏｎｔｒｏｌ  ｃｈａｎｎｅｌ：ＰＤＣＣＨ）のモニタリング時点（ｏｃｃａｓｉｏｎ）が重なる（ｏｖｅｒｌａｐ）場合、前記複数のＣＯＲＥＳＥＴそれぞれの検索空間タイプ（ｓｅａｒｃｈ  ｓｐａｃｅ  ｔｙｐｅ）に基づいて、前記複数のＣＯＲＥＳＥＴの内の少なくとも一つのＣＯＲＥＳＥＴを選択し、及び
前記複数のＣＯＲＥＳＥＴの内の前記選択された少なくとも一つのＣＯＲＥＳＥＴのみで少なくとも一つのＰＤＣＣＨをモニタリングし、
ｉ）第１ＣＯＲＥＳＥＴを含むように選択された前記少なくとも一つのＣＯＲＥＳＥＴ；
ｉｉ）第１ＣＳＩ−ＲＳとＱＣＬ関連とを指示する前記第１ＣＯＲＥＳＥＴの為の第１ＴＣＩ状態、及び、第２ＣＳＩ−ＲＳとＱＣＬ関連とを指示する第２ＣＯＲＥＳＥＴの為の第２ＴＣＩ状態；並びに、
ｉｉｉ）前記ＣＳＩ−ＲＳ設定情報により、同一のＳＳＢ（ｓｙｎｃｈｒｏｎｉｚａｔｉｏｎ  ｓｉｇｎａｌ／ＰＢＣＨ  ｂｌｏｃｋ）に関連付けられている前記第１ＣＳＩ−ＲＳ及び前記第２ＣＳＩ−ＲＳ；に基づいて、
前記少なくとも一つのＰＤＣＣＨは前記第１ＣＯＲＥＳＥＴ及び前記第２ＣＯＲＥＳＥＴの両方でモニタリングする、プロセッサ。
【発明の詳細な説明】
【技術分野】
【０００１】
本発明は、無線通信に関し、より詳細には、無線通信システムにおける端末の制御信号モニタリング方法、及び前記方法を用いる端末に関する。
【０００２】
より多くの通信機器がより大きな通信容量を要求することになり、これに伴って既存の無線アクセス技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭している。また、多数の機器及びモノを連結し、いつどこでも様々なサービスを提供するｍａｓｓｉｖｅ  ＭＴＣ（ｍａｓｓｉｖｅ  Ｍａｃｈｉｎｅ  Ｔｙｐｅ  Ｃｏｍｍｕｎｉｃａｔｉｏｎｓ）もやはり、次世代の通信で考慮されるべき主要なイシューの一つである。のみならず、信頼度（ｒｅｌｉａｂｉｌｉｔｙ）及び遅延（ｌａｔｅｎｃｙ）に敏感なサービス／端末を考慮した通信システムのデザインが議論されている。このように拡張されたモバイルブロードバンド（ｅｎｈａｎｃｅｄ  ｍｏｂｉｌｅ  ｂｒｏａｄｂａｎｄ：ｅＭＢＢ）通信、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）等を考慮した次世代の無線アクセス技術の導入が議論されており、本発明では、便宜上、該当技術（ｔｅｃｈｎｏｌｏｇｙ）をｎｅｗ  ＲＡＴ又はＮＲと呼ぶ。ＮＲは、５世代（ｆｉｆｔｈ  ｇｅｎｅｒａｔｉｏｎ：５Ｇ）システムとも称する。
【０００３】
既存の無線通信システム、例えば、ＬＴＥ（ｌｏｎｇ  ｔｅｒｍ  ｅｖｏｌｕｔｉｏｎ）では、端末がシステム帯域全体で自身の制御チャネルをモニタリングした。反面、ＮＲでは、システム帯域の一部である制御資源集合（ｃｏｎｔｒｏｌ  ｒｅｓｏｕｒｃｅ  ｓｅｔ：ＣＯＲＥＳＥＴ、コアセット）と呼ばれる時間／周波数資源で端末の制御チャネルをモニタリングすることができ、前記制御チャネルをモニタリングする時点／機会（ｏｃｃａｓｉｏｎ）が与えられる。しかし、場合によっては、複数のコアセットで前記制御チャネルのモニタリング時点が重なり得る。このような場合、端末がどんな方式で前記制御チャネルをモニタリングすべきかが問題になる。
【発明の概要】
【発明が解決しようとする課題】
【０００４】
本発明が解決しようとする技術的課題は、無線通信システムで端末の制御信号モニタリング方法、及び前記方法を用いる端末を提供することである。
【課題を解決するための手段】
【０００５】
一側面において、無線通信システムにおける端末の制御信号モニタリング方法を提供する。前記方法は、複数の制御資源集合（ｃｏｎｔｒｏｌ  ｒｅｓｏｕｒｃｅ  ｓｅｔ：ＣＯＲＥＳＥＴ）で物理ダウンリンク制御チャネル（ｐｈｙｓｉｃａｌ  ｄｏｗｎｌｉｎｋ  ｃｏｎｔｒｏｌ  ｃｈａｎｎｅｌ：ＰＤＣＣＨ）のモニタリング時点（ｏｃｃａｓｉｏｎ）が重なる（ｏｖｅｒｌａｐ）場合、前記複数の制御資源集合のうちの少なくとも一つの制御資源集合を選択し、前記選択された少なくとも一つの制御資源集合でのみＰＤＣＣＨをモニタリングし、前記少なくとも一つの制御資源集合が第１制御資源集合を含む場合、前記第１制御資源集合の第１参照信号と第２制御資源集合の第２参照信号とが同一のＳＳＢ（ｓｙｎｃｈｒｏｎｉｚａｔｉｏｎ  ｓｉｇｎａｌ／ＰＢＣＨ  ｂｌｏｃｋ）に関連すると、前記第２資源集合でもＰＤＣＣＨをモニタリングすることを特徴とする。
【０００６】
前記少なくとも一つの制御資源集合を選択することにおいて、共通検索空間（ｃｏｍｍｏｎ  ｓｅａｒｃｈ  ｓｐａｃｅ：ＣＳＳ）を含む制御資源集合の優先順位が端末特定的検索空間（ＵＥ−ｓｐｅｃｉｆｉｃ  ｓｅａｒｃｈ  ｓｐａｃｅ：ＵＳＳ）を含む制御資源集合の優先順位に比べて高いことがある。
【０００７】
前記少なくとも一つの制御資源集合を選択することにおいて、共通検索空間（ｃｏｍｍｏｎ  ｓｅａｒｃｈ  ｓｐａｃｅ：ＣＳＳ）を含む制御資源集合が複数個ある場合、最も低いインデックスを有する共通検索空間を含む制御資源集合を選択することができる。
【０００８】
前記複数の制御資源集合のうち、共通検索空間（ｃｏｍｍｏｎ  ｓｅａｒｃｈ  ｓｐａｃｅ：ＣＳＳ）を含む最も低いインデックスのセルから最も低いインデックスのＣＳＳ集合に対応する制御資源集合を選択することができる。
【０００９】
前記第１制御資源集合と前記第２制御資源集合は、同一のＱＣＬ（Ｑｕａｓｉ  Ｃｏ  Ｌｏｃａｔｉｏｎ）特性を有する制御資源集合であると仮定されることができる。
【００１０】
前記ＱＣＬ特性は、空間受信パラメータ（ｓｐａｔｉａｌ  Ｒｘ  ｐａｒａｍｅｔｅｒ）に関するものであり得る。
【００１１】
別の側面で提供される端末（Ｕｓｅｒ  Ｅｑｕｉｐｍｅｎｔ；ＵＥ）は、無線信号を送信及び受信する送受信機（Ｔｒａｎｓｃｅｉｖｅｒ）と、前記送受信機と結合して動作するプロセッサとを含み、前記プロセッサは、複数の制御資源集合（ｃｏｎｔｒｏｌ  ｒｅｓｏｕｒｃｅ  ｓｅｔ：ＣＯＲＥＳＥＴ）で物理ダウンリンク制御チャネル（ｐｈｙｓｉｃａｌ  ｄｏｗｎｌｉｎｋ  ｃｏｎｔｒｏｌ  ｃｈａｎｎｅｌ：ＰＤＣＣＨ）のモニタリング時点（ｏｃｃａｓｉｏｎ）が重なる（ｏｖｅｒｌａｐ）場合、前記複数の制御資源集合のうちの少なくとも一つの制御資源集合を選択し、前記選択された少なくとも一つの制御資源集合でのみＰＤＣＣＨをモニタリングし、前記少なくとも一つの制御資源集合が第１制御資源集合を含む場合、前記第１制御資源集合の第１参照信号と第２制御資源集合の第２参照信号とが同一のＳＳＢ（ｓｙｎｃｈｒｏｎｉｚａｔｉｏｎ  ｓｉｇｎａｌ／ＰＢＣＨ  ｂｌｏｃｋ）に関連すると、前記第２資源集合でもＰＤＣＣＨをモニタリングすることを特徴とする。
【００１２】
前記少なくとも一つの制御資源集合を選択することにおいて、共通検索空間（ｃｏｍｍｏｎ  ｓｅａｒｃｈ  ｓｐａｃｅ：ＣＳＳ）を含む制御資源集合の優先順位が端末特定的検索空間（ＵＥ−ｓｐｅｃｉｆｉｃ  ｓｅａｒｃｈ  ｓｐａｃｅ：ＵＳＳ）を含む制御資源集合の優先順位に比べて高いことがある。
【００１３】
前記少なくとも一つの制御資源集合を選択することにおいて、共通検索空間（ｃｏｍｍｏｎ  ｓｅａｒｃｈ  ｓｐａｃｅ：ＣＳＳ）を含む制御資源集合が複数個ある場合、最も低いインデックスを有する共通検索空間を含む制御資源集合を選択することができる。
【００１４】
前記複数の制御資源集合のうち、共通検索空間（ｃｏｍｍｏｎ  ｓｅａｒｃｈ  ｓｐａｃｅ：ＣＳＳ）を含む最も低いインデックスのセルから最も低いインデックスのＣＳＳ集合に対応する制御資源集合を選択することができる。
【００１５】
前記第１制御資源集合と前記第２制御資源集合は、同一のＱＣＬ（Ｑｕａｓｉ  Ｃｏ  Ｌｏｃａｔｉｏｎ）特性を有する制御資源集合であると仮定されることができる。
【００１６】
前記ＱＣＬ特性は、空間受信パラメータ（ｓｐａｔｉａｌ  Ｒｘ  ｐａｒａｍｅｔｅｒ）に関するものであり得る。
【００１７】
また別の側面で提供される無線通信装置のためのプロセッサは、前記無線通信装置を、複数の制御資源集合（ｃｏｎｔｒｏｌ  ｒｅｓｏｕｒｃｅ  ｓｅｔ：ＣＯＲＥＳＥＴ）で物理ダウンリンク制御チャネル（ｐｈｙｓｉｃａｌ  ｄｏｗｎｌｉｎｋ  ｃｏｎｔｒｏｌ  ｃｈａｎｎｅｌ：ＰＤＣＣＨ）のモニタリング時点（ｏｃｃａｓｉｏｎ）が重なる（ｏｖｅｒｌａｐ）場合、前記複数の制御資源集合のうちの少なくとも一つの制御資源集合を選択し、前記選択された少なくとも一つの制御資源集合でのみＰＤＣＣＨをモニタリングするように制御し、前記少なくとも一つの制御資源集合として第１制御資源集合を選択した場合、前記第１制御資源集合の第１参照信号と第２制御資源集合の第２参照信号とが同一のＳＳＢ（ｓｙｎｃｈｒｏｎｉｚａｔｉｏｎ  ｓｉｇｎａｌ／ＰＢＣＨ  ｂｌｏｃｋ）に関連すると、前記第２資源集合でもＰＤＣＣＨをモニタリングすることを特徴とする。
【発明の効果】
【００１８】
本発明によると、複数のコアセットで制御チャネルのモニタリング時点／機会が重なる場合、優先順位によって選択された特定のコアセットでのみ制御チャネルをモニタリングする。端末は、制御チャネルのモニタリング時点（機会）に、重なる複数のコアセットを全てモニタリングする必要がないので、端末の能力を外れる通信環境、例えば、端末が同時にモニタリングできるコアセットの数よりも多くのコアセットが割り当てられるシステムでも、端末が問題なく動作できる。また、ＮＲではビームを使用して送受信を行うことができるが、前記ビームの受信に必要なパラメータを空間受信パラメータと称することができる。複数のコアセットで制御チャネルのモニタリング時点／機会が重なる場合、同一の空間受信パラメータの特性を有するコアセットに対しては、いずれも制御チャネルのモニタリングを行うようにし、制御チャネルのモニタリング効率を増加させることができる。
【図面の簡単な説明】
【００１９】
【図１】既存の無線通信システムを例示する。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】ＮＲが適用される次世代の無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【図５】ＮＧ−ＲＡＮと５ＧＣ間の機能的分割を例示する。
【図６】ＮＲで適用できるフレーム構造を例示する。
【図７】コアセットを例示する。
【図８】従来の制御領域と、ＮＲでのコアセットとの差異点を示す図である。
【図９】新しい無線アクセス技術に対するフレーム構造の一例を示す。
【図１０】前記ＴＸＲＵ及び物理的アンテナの観点から、ハイブリッドビームフォーミング（ｈｙｂｒｉｄ  ｂｅａｍｆｏｒｍｉｎｇ）構造を抽象的に図式化している。
【図１１】ダウンリンク（ｄｏｗｎｌｉｎｋ：ＤＬ）送信過程において同期化信号（ｓｙｎｃｈｒｏｎｉｚａｔｉｏｎ  ｓｉｇｎａｌ）とシステム情報（ｓｙｓｔｅｍ  ｉｎｆｏｒｍａｔｉｏｎ）に対して前記ビームスイーピング（ｂｅａｍ  ｓｗｅｅｐｉｎｇ）動作を図式化している。
【図１２】本発明の一実施例に係る端末のＰＤＣＣＨのモニタリング方法を示す。
【図１３】互いに異なるＴＣＩ状態が設定された互いに異なる２個のコアセットが、時間領域で部分的に重なる場合を例示する。
【図１４】本発明の一実施例に係る基地局と端末間の動作方法を例示する。
【図１５】本発明に係る端末の制御チャネルのモニタリング方法を例示する。
【図１６】図１５で説明した同一のＳＳＢに関連した２個の参照信号を例示する。
【図１７】本発明を行う送信装置１８１０及び受信装置１８２０の構成要素を示すブロック図である。
【図１８】送信装置１８１０内の信号処理モジュール構造の一例を示す。
【図１９】送信装置１８１０内の信号処理モジュール構造の別の例を示す。
【図２０】本発明の具現例に係る無線通信装置の一例を示す。
【図２１】端末側面のプロセッサを例示する。
【図２２】基地局側面のプロセッサを例示する。
【発明を実施するための形態】
【００２０】
図１は、本発明が適用できる無線通信システムを例示する。これは、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、又はＬＴＥ（Ｌｏｎｇ  Ｔｅｒｍ  Ｅｖｏｌｕｔｉｏｎ）／ＬＴＥ−Ａシステムとも呼ばれる。
【００２１】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２２】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００２３】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００２４】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、そのうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。そのために、ＲＲＣ階層は、端末と基地局との間のＲＲＣメッセージを交換する。
【００２５】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。ユーザ平面は、ユーザデータ送信のためのプロトコルスタック（ｐｒｏｔｏｃｏｌ  ｓｔａｃｋ）であり、制御平面は、制御信号送信のためのプロトコルスタックである。
【００２６】
図２及び図３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴にトランスポートされるかによって分類される。
【００２７】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００２８】
ＭＡＣ階層の機能は、論理チャネルとトランスポートチャネルとの間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルで提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００２９】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３０】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００３１】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００３２】
ＲＢが設定されるとは、特定サービスを提供するために、無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられる。ＳＲＢは、制御平面でＲＲＣメッセージを送信する通路として使われ、ＤＲＢは、ユーザ平面でユーザデータを送信する通路として使われる。
【００３３】
端末のＲＲＣ階層とＥ−ＵＴＲＡＮのＲＲＣ階層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、そうでない場合、ＲＲＣアイドル（ＲＲＣ  ｉｄｌｅ）状態になる。
【００３４】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別途のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルとしては、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００３５】
トランスポートチャネル上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３６】
物理チャネル（Ｐｈｙｓｉｃａｌ  Ｃｈａｎｎｅｌ）は、時間領域で複数個のＯＦＤＭシンボルと周波数領域で複数個の副搬送波（Ｓｕｂ−ｃａｒｒｉｅｒ）とで構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００３７】
以下、新しい無線アクセス技術（ｎｅｗ  ｒａｄｉｏ  ａｃｃｅｓｓ  ｔｅｃｈｎｏｌｏｇｙ；ｎｅｗ  ＲＡＴ）について説明する。
【００３８】
より多くの通信機器がより大きな通信容量を要求することになり、これに伴って既存の無線アクセス技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭している。また、多数の機器及びモノを連結し、いつどこでも多様なサービスを提供するｍａｓｓｉｖｅ  ＭＴＣ（ｍａｓｓｉｖｅ  Ｍａｃｈｉｎｅ  Ｔｙｐｅ  Ｃｏｍｍｕｎｉｃａｔｉｏｎｓ）もやはり、次世代の通信で考慮されるべき主要なイシューの一つである。のみならず、信頼度（ｒｅｌｉａｂｉｌｉｔｙ）及び遅延（ｌａｔｅｎｃｙ）に敏感なサービス又は端末を考慮した通信システムのデザインが議論されている。このように拡張されたモバイルブロードバンドコミュニケーション（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）等を考慮した次世代の無線アクセス技術の導入が議論されており、本発明では、便宜上、該当技術（ｔｅｃｈｎｏｌｏｇｙ）をｎｅｗ  ＲＡＴまたはＮＲと呼ぶ。
【００３９】
図４は、ＮＲが適用される次世代の無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【００４０】
図４を参照すると、ＮＧ−ＲＡＮは、端末にユーザー平面及び制御平面プロトコル終端（ｔｅｒｍｉｎａｔｉｏｎ）を提供するｇＮＢ及び／又はｅＮＢを含むことができる。図４では、ｇＮＢのみを含む場合を例示する。ｇＮＢ及びｅＮＢは、相互間にＸｎインターフェースで連結されている。ｇＮＢ及びｅＮＢは、５世代コアネットワーク（５Ｇ  Ｃｏｒｅ  Ｎｅｔｗｏｒｋ：５ＧＣ）とＮＧインターフェースを介して連結されている。より具体的に、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）とはＮＧ−Ｃインターフェースを介して連結され、ＵＰＦ（ｕｓｅｒ  ｐｌａｎｅ  ｆｕｎｃｔｉｏｎ）とはＮＧ−Ｕインターフェースを介して連結される。
【００４１】
図５は、ＮＧ−ＲＡＮと５ＧＣ間の機能的分割を例示する。
【００４２】
図５を参照すると、ｇＮＢはインターセル間の無線資源管理（Ｉｎｔｅｒ  Ｃｅｌｌ  ＲＲＭ）、無線ベアラー管理（ＲＢ  ｃｏｎｔｒｏｌ）、連結移動性制御（Ｃｏｎｎｅｃｔｉｏｎ  Ｍｏｂｉｌｉｔｙ  Ｃｏｎｔｒｏｌ）、無線許容制御（Ｒａｄｉｏ  Ａｄｍｉｓｓｉｏｎ  Ｃｏｎｔｒｏｌ）、測定設定及び提供（Ｍｅａｓｕｒｅｍｅｎｔ  ｃｏｎｆｉｇｕｒａｔｉｏｎ  ＆  Ｐｒｏｖｉｓｉｏｎ）、動的資源割り当て（ｄｙｎａｍｉｃ  ｒｅｓｏｕｒｃｅ  ａｌｌｏｃａｔｉｏｎ）等の機能を提供することができる。ＡＭＦは、ＮＡＳ保安、アイドル状態の移動性処理等の機能を提供することができる。ＵＰＦは、移動性アンカリング（Ｍｏｂｉｌｉｔｙ  Ａｎｃｈｏｒｉｎｇ）、ＰＤＵ処理等の機能を提供することができる。ＳＭＦ（Ｓｅｓｓｉｏｎ  Ｍａｎａｇｅｍｅｎｔ  Ｆｕｎｃｔｉｏｎ）は、端末ＩＰアドレスの割り当て、ＰＤＵセッション制御等の機能を提供することができる。
【００４３】
図６は、ＮＲで適用できるフレーム構造を例示する。
【００４４】
図６を参照すると、フレームは１０ｍｓ（ｍｉｌｌｉｓｅｃｏｎｄ）で構成されることができ、１ｍｓで構成されたサブフレーム１０個を含むことができる。
【００４５】
サブフレーム内には副搬送波間隔（ｓｕｂｃａｒｒｉｅｒ  ｓｐａｃｉｎｇ）に応じて、一つ又は複数のスロット（ｓｌｏｔ）が含まれることができる。
【００４６】
次の表１は、副搬送波間隔の設定（ｓｕｂｃａｒｒｉｅｒ  ｓｐａｃｉｎｇ  ｃｏｎｆｉｇｕｒａｔｉｏｎ）μを例示する。
【００４７】
【表１】
0006961073.tif 000002
【００４８】
次の表２は、副搬送波間隔の設定（ｓｕｂｃａｒｒｉｅｒ  ｓｐａｃｉｎｇ  ｃｏｎｆｉｇｕｒａｔｉｏｎ）μに応じて、フレーム内スロットの数（Ｎframe,μslot）、サブフレーム内スロットの数（Ｎsubframe,μslot）、スロット内シンボルの数（Ｎslotsymb）等を例示する。
【００４９】
【表２】
0006961073.tif 000003
【００５０】
図６では、μ＝０、１、２について例示している。
【００５１】
ＰＤＣＣＨ（ｐｈｙｓｉｃａｌ  ｄｏｗｎｌｉｎｋ  ｃｏｎｔｒｏｌ  ｃｈａｎｎｅｌ）は、次の表３のように、一つ又はそれ以上のＣＣＥ（ｃｏｎｔｒｏｌ  ｃｈａｎｎｅｌ  ｅｌｅｍｅｎｔ）で構成できる。
【００５２】
【表３】
0006961073.tif 000004
【００５３】
即ち、ＰＤＣＣＨは、１、２、４、８又は１６個のＣＣＥで構成される資源を介して送信されることができる。ここで、ＣＣＥは、６個のＲＥＧ（ｒｅｓｏｕｒｃｅ  ｅｌｅｍｅｎｔ  ｇｒｏｕｐ）で構成され、一つのＲＥＧは、周波数領域で一つの資源ブロック、時間領域で一つのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで構成される。
【００５４】
一方、ＮＲでは、制御資源集合（ｃｏｎｔｒｏｌ  ｒｅｓｏｕｒｃｅ  ｓｅｔ：ＣＯＲＥＳＥＴ）という新しい単位を導入することができる。端末は、コアセットから制御チャネル、例えば、ＰＤＣＣＨを受信することができる。
【００５５】
図７は、コアセットを例示する。
【００５６】
図７を参照すると、コアセットは周波数領域でＮCORESETRB個の資源ブロックで構成され、時間領域でＮCORESETsymb∈｛１、２、３｝個のシンボルで構成されることができる。ＮCORESETRB、ＮCORESETsymbは、上位層の信号を介して基地局によって提供されることができる。図７に示すように、コアセット内には複数のＣＣＥ（又はＲＥＧ）を含むことができる。
【００５７】
端末は、コアセット内において、１、２、４、８又は１６個のＣＣＥを単位でＰＤＣＣＨの検出を試みることができる。ＰＤＣＣＨの検出を試みることができる一つ又は複数個のＣＣＥをＰＤＣＣＨの候補といえる。
【００５８】
端末は、複数のコアセットの設定を受けることができる。
【００５９】
図８は、従来の制御領域と、ＮＲでのコアセットとの差異点を示す図である。
【００６０】
図８を参照すると、従来の無線通信システム（例えば、ＬＴＥ／ＬＴＥ−Ａ）での制御領域８００は、基地局が使用するシステム帯域全体にわたって構成された。狭い帯域のみを支援する一部端末（例えば、ｅＭＴＣ／ＮＢ−ＩｏＴ端末）を除いた全ての端末は、基地局が送信する制御情報をちゃんと受信／デコーディングするためには、前記基地局のシステム帯域全体の無線信号を受信すべきであった。
【００６１】
これに対して、ＮＲでは、前述したコアセットを導入した。コアセット８０１、８０２、８０３は、端末が受信すべき制御情報のための無線資源であるといえ、周波数領域でシステム帯域全体の代わりに、一部のみを使用することができる。また、時間領域でスロット内のシンボルのうち一部のみを使用することができる。基地局は、各端末にコアセットを割り当てることができ、割り当てたコアセットを介して制御情報を送信することができる。例えば、図８において、第１コアセット８０１は端末１に割り当て、第２コアセット８０２は第２端末に割り当て、第３コアセット８０３は端末３に割り当てることができる。ＮＲにおける端末は、システム帯域全体を必ずしも受信しなくても、基地局の制御情報を受信することができる。
【００６２】
コアセットには、端末特定的制御情報を送信するための端末特定的コアセットと全ての端末に共通の制御情報を送信するための共通のコアセットがあり得る。
【００６３】
一方、ＮＲでは、応用（Ａｐｐｌｉｃａｔｉｏｎ）分野によっては高い信頼性（ｈｉｇｈ  ｒｅｌｉａｂｉｌｉｔｙ）を要求することができ、このような状況でダウンリンク制御チャネル（例えば、ｐｈｙｓｉｃａｌ  ｄｏｗｎｌｉｎｋ  ｃｏｎｔｒｏｌ  ｃｈａｎｎｅｌ：ＰＤＣＣＨ）を介して送信されるＤＣＩ（ｄｏｗｎｌｉｎｋ  ｃｏｎｔｒｏｌ  ｉｎｆｏｒｍａｔｉｏｎ）に対する目標ＢＬＥＲ（ｂｌｏｃｋ  ｅｒｒｏｒ  ｒａｔｅ）は、従来技術より著しく低くなることがある。このように高い信頼性を要求する要件（ｒｅｑｕｉｒｅｍｅｎｔ）を満たすための方法の一例として、ＤＣＩに含まれる内容（ｃｏｎｔｅｎｔｓ）量を減らしたり、そして／またはＤＣＩ送信時に使用するリソースの量を増加させたりすることができる。このとき、リソースは、時間領域でのリソース、周波数領域でのリソース、コード領域でのリソース、空間領域でのリソースのうち少なくとも一つを含むことができる。
【００６４】
ＮＲでは下記の技術／特徴が適用されることができる。
【００６５】
＜セルフコンテインドサブフレーム構造（Ｓｅｌｆ−ｃｏｎｔａｉｎｅｄ  ｓｕｂｆｒａｍｅ  ｓｔｒｕｃｔｕｒｅ）＞
【００６６】
図９は、新しい無線アクセス技術に対するフレーム構造の一例を示す。
【００６７】
ＮＲではレイテンシー（ｌａｔｅｎｃｙ）を最小化するための目的として、図９のように、一つのＴＴＩ内に、制御チャネルとデータチャネルが時分割多重化（Ｔｉｍｅ  Ｄｉｖｉｓｉｏｎ  Ｍｕｌｔｉｐｌｅｘｉｎｇ：ＴＤＭ）される構造がフレーム構造（ｆｒａｍｅ  ｓｔｒｕｃｔｕｒｅ）の一つとして考慮されることができる。
【００６８】
図９において、斜線領域はダウンリンク制御（ｄｏｗｎｌｉｎｋ  ｃｏｎｔｒｏｌ）領域を示し、黒色部分はアップリンク制御（ｕｐｌｉｎｋ  ｃｏｎｔｒｏｌ）領域を示す。表示のない領域は、ダウンリンクデータ（ｄｏｗｎｌｉｎｋ  ｄａｔａ；ＤＬ  ｄａｔａ）の送信のために使用されてもよく、アップリンクデータ（ｕｐｌｉｎｋ  ｄａｔａ；ＵＬ  ｄａｔａ）の送信のために使用されてもよい。このような構造の特徴は、一つのサブフレーム（ｓｕｂｆｒａｍｅ）内でダウンリンク（ＤＬ）の送信とアップリンク（ｕｐｌｉｎｋ；ＵＬ）の送信が順次に行われ、サブフレーム（ｓｕｂｆｒａｍｅ）内でＤＬデータを送り、ＵＬ  ＡＣＫ／ＮＡＣＫ（Ａｃｋｎｏｗｌｅｄｇｅｍｅｎｔ／Ｎｏｔ−ａｃｋｎｏｗｌｅｄｇｅｍｅｎｔ）も受けることができる。結果として、データ伝送のエラーの発生時にデータの再伝送までかかる時間を減らすことになり、このため、最終データ伝達のレイテンシー（ｌａｔｅｎｃｙ）を最小化することができる。
【００６９】
このようなデータ及び制御領域がＴＤＭされたサブフレーム構造（ｄａｔａ  ａｎｄ  ｃｏｎｔｒｏｌ  ＴＤＭｅｄ  ｓｕｂｆｒａｍｅ  ｓｔｒｕｃｔｕｒｅ）で基地局と端末が送信モードから受信モードへの切り替え過程又は受信モードから送信モードへの切り替え過程のためのタイプギャップ（ｔｉｍｅ  ｇａｐ）が必要である。このため、自己完結型サブフレーム構造においてＤＬからＵＬへ切り替えられる時点の一部ＯＦＤＭシンボルが保護区間（ｇｕａｒｄ  ｐｅｒｉｏｄ：ＧＰ）に設定できる。
【００７０】
＜アナログビームフォーミング＃１（Ａｎａｌｏｇ  ｂｅａｍｆｏｒｍｉｎｇ＃１）＞
【００７１】
ミリ波（Ｍｉｌｌｉｍｅｔｅｒ  Ｗａｖｅ：ｍｍＷ）では波長が短くなり、同じ面積に多数個のアンテナエレメント（ｅｌｅｍｅｎｔ）の設置が可能になる。即ち、３０ＧＨｚ帯域における波長は１ｃｍであって、５  ｂｙ  ５ｃｍのパネル（ｐａｎｅｌ）に０．５波長（ｌａｍｂｄａ）の間隔で二次元（ｄｉｍｅｎｓｉｏｎ）配列の形態で計１００個のアンテナエレメント（ｅｌｅｍｅｎｔ）の設置が可能である。従って、ｍｍＷでは多数個のアンテナエレメント（ｅｌｅｍｅｎｔ）を使用し、ビームフォーミング（ｂｅａｍｆｏｒｍｉｎｇ：ＢＦ）の利得を高めてカバレッジを増加させたり、スループット（ｔｈｒｏｕｇｈｐｕｔ）を高めようとする。
【００７２】
この場合、アンテナエレメント（ｅｌｅｍｅｎｔ）別に送信パワー及び位相調節が可能なように、トランシーバーユニット（Ｔｒａｎｓｃｅｉｖｅｒ  Ｕｎｉｔ：ＴＸＲＵ）を有すると、周波数資源別に独立のビームフォーミング（ｂｅａｍｆｏｒｍｉｎｇ）が可能である。しかし、１００個余りのアンテナエレメント（ｅｌｅｍｅｎｔ）に全てＴＸＲＵを設置するには、価格面において実効性が低いという問題を有することになる。従って、一つのＴＸＲＵに多数個のアンテナエレメント（ｅｌｅｍｅｎｔ）をマッピング（ｍａｐｐｉｎｇ）し、アナログ位相シフタ（ａｎａｌｏｇ  ｐｈａｓｅ  ｓｈｉｆｔｅｒ）でビーム（ｂｅａｍ）の方向を調節する方式が考慮されている。このようなアナログビームフォーミング（ａｎａｌｏｇ  ｂｅａｍｆｏｒｍｉｎｇ）方式は、全帯域において一つのビーム（ｂｅａｍ）方向のみを作ることができ、周波数選択的ビームフォーミング（ｂｅａｍｆｏｒｍｉｎｇ）を行うことができないというデメリットを有する。
【００７３】
デジタルビームフォーミング（Ｄｉｇｉｔａ  ＢＦ）とアナログビームフォーミング（ａｎａｌｏｇ  ＢＦ）の中間形態で、Ｑ個のアンテナエレメント（ｅｌｅｍｅｎｔ）より少ない個数であるＢ個のＴＸＲＵを有するハイブリッドビームフォーミング（ｈｙｂｒｉｄ  ＢＦ）を考慮することができる。この場合、Ｂ個のＴＸＲＵとＱ個のアンテナエレメント（ｅｌｅｍｅｎｔ）の連結方式によって差はあるが、同時に転送することができるビームの方向は、Ｂ個以下に制限されることになる。
【００７４】
＜アナログビームフォーミング＃２（Ａｎａｌｏｇ  ｂｅａｍｆｏｒｍｉｎｇ＃２）＞
【００７５】
ＮＲシステムでは多数のアンテナが使用される場合、デジタルビームフォーミングとアナログビームフォーミングとを結合したハイブリッドビームフォーミング技法が台頭している。このとき、アナログビームフォーミング（又はＲＦビームフォーミング）は、ＲＦ端でプリコーディング（Ｐｒｅｃｏｄｉｎｇ）（又はコンバイニング（Ｃｏｍｂｉｎｉｎｇ））を行い、このため、ＲＦチェーンの数とＤ／Ａ（又はＡ／Ｄ）コンバータの数を減らしながらも、デジタルビームフォーミングに近接する性能を出すことができるというメリットがある。便宜上、前記ハイブリッドビームフォーミングの構造は、Ｎ個のＴＸＲＵとＭ個の物理的アンテナで表現され得る。そうすると、送信端で送信するＬ個のデータ層（ｄａｔａ  ｌａｙｅｒ）に対するデジタルビームフォーミングは、Ｎ  ｂｙ  Ｌの行列で表現され得、以降変換されたＮ個のデジタル信号（ｄｉｇｉｔａｌ  ｓｉｇｎａｌ）はＴＸＲＵを経てアナログ信号（ａｎａｌｏｇ  ｓｉｇｎａｌ）に変換された後、Ｍ  ｂｙ  Ｎの行列で表現されるアナログビームフォーミングが適用される。
【００７６】
図１０は、前記ＴＸＲＵ及び物理的アンテナの観点から、ハイブリッドビームフォーミング（ｈｙｂｒｉｄ  ｂｅａｍｆｏｒｍｉｎｇ）構造を抽象的に図式化している。
【００７７】
図１０において、デジタルビーム（ｄｉｇｉｔａｌ  ｂｅａｍ）の個数はＬ個であり、アナログビーム（ａｎａｌｏｇ  ｂｅａｍ）の個数はＮ個である。さらに、ＮＲシステムでは、基地局がアナログビームフォーミングをシンボル単位に変更できるように設計し、特定地域に位置した端末に、より効率的なビームフォーミングを支援する方向を考慮している。さらに、図７において、特定のＮ個のＴＸＲＵとＭ個のＲＦアンテナを一つのアンテナパネル（ｐａｎｅｌ）で定義するとき、前記ＮＲシステムでは互いに独立のハイブリッドビームフォーミングが適用可能な複数のアンテナパネルを導入する案まで考慮されている。
【００７８】
前記のように基地局が複数のアナログビームを活用する場合、端末別に信号の受信に有利なアナログビームが異なり得るので、少なくとも同期化信号（ｓｙｎｃｈｒｏｎｉｚａｔｉｏｎ  ｓｉｇｎａｌ）、システム情報（ｓｙｓｔｅｍ  ｉｎｆｏｒｍａｔｉｏｎ）、ページング（ｐａｇｉｎｇ）等に対しては、特定のサブフレームで基地局が適用する複数のアナログビームをシンボル別に変えて、全ての端末が受信機会を有することができるようにするビームスイーピング（ｂｅａｍ  ｓｗｅｅｐｉｎｇ）動作が考慮されている。
【００７９】
図１１は、ダウンリンク（ｄｏｗｎｌｉｎｋ：ＤＬ）送信過程において同期化信号（ｓｙｎｃｈｒｏｎｉｚａｔｉｏｎ  ｓｉｇｎａｌ）とシステム情報（ｓｙｓｔｅｍ  ｉｎｆｏｒｍａｔｉｏｎ）に対して前記ビームスイーピング（ｂｅａｍ  ｓｗｅｅｐｉｎｇ）動作を図式化している。
【００８０】
図１１において、ＮＲシステムのシステム情報がブロードキャスティング（Ｂｒｏａｄｃａｓｔｉｎｇ）方式で送信される物理的資源（又は物理チャネル）をｘＰＢＣＨ（ｐｈｙｓｉｃａｌ  ｂｒｏａｄｃａｓｔ  ｃｈａｎｎｅｌ）と名付けた。このとき、一つのシンボル内で互いに異なるアンテナパネルに属するアナログビームは同時に送信されてもよく、アナログビーム別のチャネルを測定するために図１１に示すように（特定のアンテナパネルに対応する）単一アナログビームが適用されて送信される参照信号（ｒｅｆｅｒｅｎｃｅ  ｓｉｇｎａｌ：ＲＳ）であるビーム参照信号（Ｂｅａｍ  ＲＳ：ＢＲＳ）を導入する案が議論されている。前記ＢＲＳは、複数のアンテナポートに対して定義され得、ＢＲＳの各アンテナポートは、単一アナログビームに対応し得る。このとき、ＢＲＳとは異なり、同期化信号（Ｓｙｎｃｈｒｏｎｉｚａｔｉｏｎ  ｓｉｇｎａｌ）又はｘＰＢＣＨは、任意の端末がよく受信できるようにアナログビームグループ（ａｎａｌｏｇ  ｂｅａｍ  ｇｒｏｕｐ）内の全てのアナログビームが適用されて送信されることができる。
【００８１】
ＮＲでは、時間領域で同期化信号ブロック（ｓｙｎｃｈｒｏｎｉｚａｔｉｏｎ  ｓｉｇｎａｌ  ｂｌｏｃｋ；ＳＳＢ、同期化信号及び物理放送チャネル（ｐｈｙｓｉｃａｌ  ｂｒｏａｄｃａｓｔ  ｃｈａｎｎｅｌ：ＰＢＣＨ））は、同期化信号ブロック内で０から３までの昇順に番号が付けられた４個のＯＦＤＭシンボルで構成されることができ、プライマリ同期化信号（ｐｒｉｍａｒｙ  ｓｙｎｃｈｒｏｎｉｚａｔｉｏｎ  ｓｉｇｎａｌ：ＰＳＳ）、セカンダリ同期化信号（ｓｅｃｏｎｄａｒｙ  ｓｙｎｃｈｒｏｎｉｚａｔｉｏｎ  ｓｉｇｎａｌ：ＳＳＳ）、及び復調参照信号（ｄｅｍｏｄｕｌａｔｉｏｎ  ｒｅｆｅｒｅｎｃｅ  ｓｉｇｎａｌ：ＤＭＲＳ）と関連したＰＢＣＨがシンボルにマッピングできる。ここで、同期化信号ブロックは、ＳＳ／ＰＢＣＨブロック（又は簡単にＳＳＢ）とも表現できる。
【００８２】
ＮＲでは、多数の同期化信号ブロックがそれぞれ異なる時点に送信されることができ、初期アクセス（ｉｎｉｔｉａｌ  ａｃｃｅｓｓ：ＩＡ）、サービングセルの測定（ｓｅｒｖｉｎｇ  ｃｅｌｌ  ｍｅａｓｕｒｅｍｅｎｔ）等を行うためにＳＳＢが使用できるので、別の信号と送信時点及び資源がオーバーラップ（ｏｖｅｒｌａｐ）される場合、ＳＳＢが優先的に送信されることが好ましい。このため、ネットワークはＳＳＢの送信時点及び資源情報をブロードキャスト（ｂｒｏａｄｃａｓｔ）するか、端末−特定ＲＲＣシグナリング（ＵＥ−ｓｐｅｃｉｆｉｃ  ＲＲＣ  ｓｉｇｎａｌｉｎｇ）を介して指示できる。
【００８３】
これから、本発明について説明する。以下、上位層の信号は、ＲＲＣ（ｒａｄｉｏ  ｒｅｓｏｕｒｃｅ  ｃｏｎｔｒｏｌ）メッセージ、ＭＡＣメッセージ又はシステム情報を意味することができる。
【００８４】
ＮＲではビーム（ｂｅａｍ）ベースの送受信動作が行われることができる。現在のサービングビーム（ｓｅｒｖｉｎｇ  ｂｅａｍ）の受信性能が低下する場合、ビーム誤謬復旧（ｂｅａｍ  ｆａｉｌｕｒｅ  ｒｅｃｏｖｅｒｙ：ＢＦＲ）という過程を通じて、新しいビームを見つける過程を行うことができる。
【００８５】
ＢＦＲは、ネットワークと端末間のリンク（ｌｉｎｋ）に対する誤謬／失敗（ｆａｉｌｕｒｅ）を宣言する過程ではないので、ＢＦＲ過程を行っても、現在のサービングセルとの連結は維持されていると仮定することもできる。ＢＦＲ過程では、ネットワークによって設定された互いに異なるビーム（ビームはＣＳＩ−ＲＳのポート又はＳＳＢ（ｓｙｎｃｈｒｏｎｉｚａｔｉｏｎ  ｓｉｇｎａｌ  ｂｌｏｃｋ）インデックス等で表現できる）に対する測定を行い、該当端末に最も良い（ｂｅｓｔ）ビームを選択することができる。端末は測定結果がよいビームに対して、該当ビームと連係されたＲＡＣＨ過程を行う方式でＢＦＲ過程を行うことができる。
【００８６】
本発明では、制御チャネル処理（ｃｏｎｔｒｏｌ  ｃｈａｎｎｅｌ  ｐｒｏｃｅｓｓｉｎｇ）の観点から、ＢＦＲを行う際に必要な制御資源集合（ＣＯＲＥＳＥＴ：コアセット）及び検索空間集合（ｓｅａｒｃｈ  ｓｐａｃｅ  ｓｅｔ）の設定、ＢＤ／ＣＥの複雑度（ｃｏｍｐｌｅｘｉｔｙ）処理（ｈａｎｄｌｉｎｇ）のための候補マッピング（ｃａｎｄｉｄａｔｅ  ｍａｐｐｉｎｇ）方法を提案する。本発明において、送信設定指示（Ｔｒａｎｓｍｉｓｓｉｏｎ  Ｃｏｎｆｉｇｕｒａｔｉｏｎ  Ｉｎｄｉｃａｔｉｏｎ：以下ＴＣＩ）の状態は、制御チャネルのコアセット別に設定されることができ、端末の受信（Ｒｘ）ビームを決定するためのパラメータとして使用されることができる。
【００８７】
サービングセルの各ＤＬ  ＢＷＰに対して、端末は３個以下のコアセットの設定を受けることができる。また、各コアセットに対して、端末は次の情報を提供をされることができる。
【００８８】
１）コアセットインデックスｐ（０から１１のうち一つ、一つのサービングセルのＢＷＰで各コアセットのインデックスは唯一に（ｕｎｉｑｕｅ）決められることができる）、
【００８９】
２）ＰＤＣＣＨ  ＤＭ−ＲＳスクランブリングシーケンスの初期化値、
【００９０】
３）コアセットの時間領域での区間（シンボル単位で与えられる）、
【００９１】
４）資源ブロック集合
【００９２】
５）ＣＣＥ−ｔｏ−ＲＥＧマッピングパラメータ、
【００９３】
６）（「ＴＣＩ−状態（ＴＣＩ−Ｓｔａｔｅ）」という上位層のパラメータによって提供されたアンテナポート準共同位置の集合から）それぞれのコアセットでＰＤＣＣＨ受信のためのＤＭ−ＲＳアンテナポートの準共同位置（ｑｕａｓｉ  ｃｏ−ｌｏｃａｔｉｏｎ：ＱＣＬ）の情報を示すアンテナポートの準共同位置（ｑｕａｓｉ  ｃｏ−ｌｏｃａｔｉｏｎ）、
【００９４】
７）コアセットでＰＤＣＣＨによって送信された特定のＤＣＩフォーマットに対する送信設定指示（ｔｒａｎｓｍｉｓｓｉｏｎ  ｃｏｎｆｉｇｕｒａｔｉｏｎ  ｉｎｄｉｃａｔｉｏｎ：ＴＣＩ）フィールドの存否指示など。
【００９５】
ここで、「ＴＣＩ−Ｓｔａｔｅ」のパラメータ／情報要素は、１つ又は２つのダウンリンク参照信号を対応するＱＣＬタイプ（ＱＣＬタイプＡ、Ｂ、Ｃ、Ｄがある、表４参照）に関連付ける。
【００９６】
【表４】
0006961073.tif 000005
【００９７】
各「ＴＣＩ−Ｓｔａｔｅ」は、１つ又は２つのダウンリンク参照信号とＰＤＳＣＨ／ＰＤＣＣＨのＤＭ−ＲＳポート間の準共同位置の関係を設定するためのパラメータを含むことができる。
【００９８】
次の表は、「ＴＣＩ−Ｓｔａｔｅ」情報要素（ＩＥ）の例である。
【００９９】
【表５】
0006961073.tif 000006
【０１００】
「ＴＣＩ−Ｓｔａｔｅ」情報要素で、「ｂｗｐ−Ｉｄ」は参照信号（ＲＳ）が位置したＤＬ  ＢＷＰを知らせる。「ｃｅｌｌ」は参照信号が設定された端末のサービングセルを知らせる。このフィールドがなければ、ＴＣＩ−Ｓｔａｔｅが設定されたサービングに適用される。参照信号はｑｃｌ−ＴｙｐｅがｔｙｐｅＣ又はｔｙｐｅＤで構成された場合にのみＴＣＩ−Ｓｔａｔｅが設定されたサービング以外の他のサービングに位置し得る。「ｒｅｆｅｒｅｎｃｅＳｉｇｎａｌ」は、準共同位置（ｑｕａｓｉ−ｃｏ  ｌｏｃａｔｉｏｎ）の情報が提供される参照信号を知らせる。「ｑｃｌ−Ｔｙｐｅ」は、前記表４のＱＣＬ−Ｔｙｐｅのうち少なくとも一つを指示することができる。
【０１０１】
一方、インデックスが０であるコアセットの場合、端末は前記コアセットのＰＤＣＣＨ受信のためのＤＭ−ＲＳアンテナポートが、ｉ）前記コアセットに対するＭＡＣ  ＣＥの活性化命令によって指示されたＴＣＩ状態により設定された一つ以上のダウンリンク参照信号と準共同位置（ｑｕａｓｉ  ｃｏ−ｌｏｃａｔｅｄ）にあると仮定するか、又はｉｉ）非競合（ｎｏｎ−ｃｏｎｔｅｎｔｉｏｎ）ベースのランダムアクセス手続をトリガリングするＰＤＣＣＨ命令により開示されない最も最近のランダムアクセス手続の間に端末が識別したＳＳ／ＰＢＣＨブロックと準共同位置にあると仮定できる（もし、前記最も最近のランダムアクセス手続後に、前記コアセットに対するＴＣＩ状態を指示するＭＡＣ  ＣＥの活性化命令を受信しなかった場合）。
【０１０２】
インデックスが０ではないコアセットの場合、もし端末がコアセットに対して単一のＴＣＩ状態を提供されるか、又は端末がコアセットに対して提供されたＴＣＩ状態のうち一つに対してＭＡＣ  ＣＥの活性化命令を受信すると、  端末は前記コアセットでのＰＤＣＣＨ受信に関するＤＭ−ＲＳアンテナポートは、前記ＴＣＩ状態により設定された一つ以上のダウンリンク参照信号と準共同位置にあると仮定できる。インデックス０を有するコアセットの場合、端末は前記コアセットに対するＭＡＣ  ＣＥの活性化命令によって指示されたＴＣＩ状態でのＣＳＩ−ＲＳのＱＣＬ−ＴｙｐｅＤがＳＳ／ＰＢＣＨブロックによって提供されることを期待することができる。
【０１０３】
もし、端末がＴＣＩ状態のうち一つに対するＭＡＣ  ＣＥの活性化命令を受信すると、端末は前記活性化命令を提供するＰＤＳＣＨに対するＨＡＲＱ−ＡＣＫ情報を送信するスロットの３ｍｓｅｃ後に前記活性化命令を適用することができる。活性化ＢＷＰは、活性化命令が適用されるときのスロットでの活性化ＢＷＰで定義されることができる。
【０１０４】
一つのサービングセルで端末に設定された各ＤＬ  ＢＷＰで、端末は１０個以下の検索空間集合（ｓｅａｒｃｈ  ｓｐａｃｅ  ｓｅｔ）を提供をされることができる。各検索空間集合に対して端末は次の情報のうち少なくとも一つを提供されることができる。
【０１０５】
１）検索空間集合のインデックスｓ（０≦ｓ＜４０）、２）コアセットＰと検索空間集合ｓ間の関連（ａｓｓｏｃｉａｔｉｏｎ）、３）ＰＤＣＣＨのモニタリング周期及びＰＤＣＣＨモニタリングオフセット（スロット単位）、４）スロット内でのＰＤＣＣＨのモニタリングのパターン（例えば、ＰＤＣＣＨのモニタリングのためのスロット内で、コアセットの一番目のシンボルを指示）、５）検索空間集合ｓが存在するスロットの数、６）ＣＣＥ集成レベル別のＰＤＣＣＨの候補の数、７）検索空間集合ｓがＣＳＳであるか、ＵＳＳであるかを指示する情報、８）端末がモニタリングすべきＤＣＩフォーマット（ｆｏｒｍａｔ）等。
【０１０６】
［ＢＦＲのためのコアセット及び検索空間集合］
【０１０７】
ＢＦＲ過程で、コアセット及び検索空間は、端末が最もよい（ｂｅｓｔ）ビームと選定したビームに連係された資源でＲＡＣＨ（ｒａｎｄｏｍ  ａｃｃｅｓｓ  ｃｈａｎｎｅｌ）過程を行うとき、ＲＡＲ（ｒａｎｄｏｍ  ａｃｃｅｓｓ  ｒｅｓｐｏｎｓｅ）メッセージ等、ネットワークから必要な信号を受信するための用途として使用されることができる。さらに変更されたビーム情報を反映した新しいコアセット及び検索空間を設定される前まで、端末はＢＦＲコアセットを介してＵＬグラント（ｇｒａｎｔ）、ＤＬ割り当て（ａｓｓｉｇｎｍｅｎｔ）等を受信することができる。
【０１０８】
＜ＢＷＰと「ＢＦＲコアセット及び検索空間集合」との関係＞
【０１０９】
ＮＲでは各ＢＷＰ（ｂａｎｄｗｉｄｔｈ  ｐａｒｔ）別に最大３個のコアセット、１０個の検索空間集合が設定できる。このとき、それぞれのコアセットは互いに異なるコアセット特性（例えば、ＣＣＥ−ｔｏ−ＲＥＧのマッピング  （ｗｉｔｈ／ｗｉｔｈｏｕｔインターリービング（ｉｎｔｅｒｌｅａｖｉｎｇ））、ＲＥＧのバンドルサイズ（ｂｕｎｄｌｅ  ｓｉｚｅ）（例：２、３、６ＲＥＧｓ）、ＷＢ（ｗｉｄｅｂａｎｄ）／ＮＢ（ｎａｒｒｏｗ  ｂａｎｄ）参照信号等）を有するようにし、それぞれの検索空間集合は互いに異なるモニタリング機会（ｍｏｎｉｔｏｒｉｎｇ  ｏｃｃａｓｉｏｎ、以下モニタリング時点とも表現できる）、集成レベル（ａｇｇｒｅｇａｔｉｏｎ  ｌｅｖｅｌ：ＡＬ）、候補（ｃａｎｄｉｄａｔｅ）の数等を有するようにし、スケジューリング柔軟性（ｓｃｈｅｄｕｌｉｎｇ  ｆｌｅｘｉｂｉｌｉｔｙ）を増加させることができる。端末は対応する検索空間集合によってＰＤＣＣＨのモニタリングが設定された各活性化されたサービングセルの活性化されたＤＬ  ＢＷＰ上の一つ以上のコアセットでＰＤＣＣＨの候補の集合をモニタリングする。ここで、モニタリングとは、ＤＣＩフォーマットによってＰＤＣＣＨの候補のそれぞれをデコーディングすることを意味する。
【０１１０】
ＢＦＲコアセットの場合、（前記で言及したＰＤＣＣＨ送受信のスケジューリング柔軟性と関係なく）ビーム受信の性能低下により、新しいビームを見つけるための過程に必要であるので、ＢＷＰ別の最大のコアセットの数に該当する制限（即ち、ＢＷＰ当たり３個のコアセットという制限）は、ＢＦＲコアセットに適用しないことが好ましい。言い換えると、端末はＢＷＰ別にＢＦＲコアセットを除いた３個のコアセット、ＢＦＲ検索空間集合を除いた１０個の検索空間集合の設定を受けることができる。ＢＦＲコアセットが一般のコアセットを再使用する場合、前記一般のコアセットがＢＦＲではない用途に設定された場合には、ＢＷＰ別に最大のコアセットの数に含むことができる。これは、検索空間集合にも同じように適用されることができる。
【０１１１】
ＢＦＲコアセットはＢＷＰ別に設定されるか、初期（ｉｎｉｔｉａｌ）のＢＷＰに設定する方式を考慮することができる。ＢＷＰ別にＢＦＲコアセットが設定される場合、ＢＷＰ別に該当設定に従い、そうでない場合、初期のＢＷＰのＢＦＲコアセットをモニタリングすることができる。
【０１１２】
さらに下記の方法以外に既存に設定されたコアセット及び／又は検索空間集合をＢＦＲに連係されたコアセット及び／又は検索空間集合として再使用できる。この場合、コアセットの設定及び／又は検索空間集合の設定の一部パラメータは、新しく設定できる。例えば、コアセットの設定のうち、ＴＣＩ状態（ｓｔａｔｅ）のようなパラメータの場合、既存の設定と関係なく、ＢＦＲコアセットでは、端末の測定結果、ベスト（ｂｅｓｔ）ビーム又はＢＦＲ過程で端末が行ったＲＡＣＨ過程によってＴＣＩ及び／又はＱＣＬ等が定義されると仮定できる。
【０１１３】
＜ＢＦＲコアセットがＢＷＰ別に設定される場合＞
【０１１４】
１）端末が現在のネットワークとの送受信を維持するＢＷＰ（即ち、活性化ＢＷＰ）にはＢＦＲコアセットが常時設定できる。これは、ＢＷＰの設定内にＢＦＲコアセットに対する情報を含ませる方法等を通じて具現できる。また、ＢＦＲコアセットのモニタリング機会はＢＦＲによるＰＲＡＣＨの送信時点によって決定されることができる。例えば、ＢＦＲコアセットのモニタリング機会は、ＰＲＡＣＨ送信スロットインデックス＋４以降、ランダムアクセス応答  モニタリングウィンドウ（ＲＡＲ  ｍｏｎｉｔｏｒｉｎｇ  ｗｉｎｄｏｗ）内の毎スロットに与えられる。
【０１１５】
２）ＢＦＲ過程が行われても、サービングセルとの連結は維持されていると見なす／認識することが好ましい。従って、端末はＢＦＲコアセットに対するモニタリングだけでなく、以前に設定されたコアセット及び検索空間集合の設定によってＤＣＩのモニタリングを行うことができる。例えば、ＢＦＲコアセットではＣ−ＲＮＴＩにスクランブリング（ｓｃｒａｍｂｌｉｎｇ）されたＰＤＣＣＨのみをモニタリングするように定義されることができる。この場合、ＳＦＩ（ｓｌｏｔ  ｆｏｒｍａｔ  ｉｎｄｉｃａｔｏｒ  ｏｒ  ｓｌｏｔ  ｆｏｒｍａｔ  ｉｎｄｅｘ）、ＳＩ（ｓｙｓｔｅｍ  ｉｎｆｏｒｍａｔｉｏｎ）、ページング（ｐａｇｉｎｇ）等の固有のＲＮＴＩが付与された情報は、端末に伝達できない場合が発生し得るため、既存のコアセットに対するモニタリングを維持することが好ましい。このとき、端末がモニタリングを行う実際の候補設定方法は後述する。
【０１１６】
＜ＢＦＲコアセットが初期のＢＷＰに設定される場合＞
【０１１７】
１）初期のＢＷＰには基本的にＰＢＣＨによって設定されたコアセット（コアセット＃０）とＲＡＣＨ過程のために設定されたコアセット（コアセット＃１）が設定でき、コアセット＃１が設定されない場合、コアセット＃０をコアセット＃１の用途として再使用できる。
【０１１８】
２）既存のＤＣＩのモニタリングが行われる場合、端末はＢＦＲと既存のＤＣＩをモニタリングするために、同じスロットで互いに異なるＢＷＰに対するモニタリングを行わなければならない。この場合、下記の方法（オプション）が考慮できる。
【０１１９】
オプション１）ＢＦＲコアセットに対するモニタリングは、特殊なケース（ｓｐｅｃｉａｌ  ｃａｓｅ）と見なして、活性化ＢＷＰと初期のＢＷＰとが一致しない場合にも、ＢＦＲに対するＤＣＩのモニタリングと既存に設定されたＤＣＩに対するモニタリングを全て行うことができる。
【０１２０】
オプション２）ＢＦＲに対するＤＣＩのモニタリングを行うＢＷＰと既存の活性化ＢＷＰとが異なる場合、既存の活性化ＢＷＰに対するＤＣＩのモニタリングは行わないことがある。これは、ＢＦＲに対するＤＣＩのモニタリングを行うＢＷＰが既存の活性化ＢＷＰと同じである場合にのみ、既存のＤＣＩのモニタリングを行う方式を含むことができる。
【０１２１】
３）ＢＦＲコアセットが初期のＢＷＰに設定される場合、次の方式（オプション）を用いて、ＢＦＲコアセットを指示することができる。
【０１２２】
オプション１）コアセット＃０又はコアセット＃１の再使用
【０１２３】
予め定義をするか、又はネットワークが上位層の信号等を介してＢＦＲコアセットが既存に定義されたコアセットを再使用するように設定できる。
【０１２４】
コアセット＃０をＢＦＲコアセットとして再使用し、ＢＦＲ過程がＣＳＩ−ＲＳポートに基づいて行われる場合、ネットワークはＢＦＲ過程に使用される各ＣＳＩ−ＲＳポートとコアセット＃０に連係されたＳＳＢインデックスとの関係をシグナリングできる。例えば、ＢＦＲ過程に使用したＣＳＩ−ＲＳポートとＳＳＢインデックスとの間のマッピング関係を上位層の信号等を介して指示することができる。
【０１２５】
オプション２）ＢＦＲのための新しいコアセット
【０１２６】
ネットワークは各端末に初期のＢＷＰ内に存在するＢＦＲコアセットに対する設定を指示／提供することができ、指示／提供方法は、ブロードキャスト信号又は端末特定的信号（ＵＥ−ｄｅｄｉｃａｔｅｄ  ｓｉｇｎａｌ）を使用することができる。
【０１２７】
ＢＦＲコアセット／ＳＳの場合、設定が選択的（ｏｐｔｉｏｎａｌ）であり得る。従って、ＢＦＲコアセット／ＳＳが該当活性化ＢＷＰ内に設定されない場合、又はＢＦＲ  ＣＦＲＡ（ｃｏｎｔｅｎｔｉｏｎ  ｆｒｅｅ  ｒａｎｄｏｍ  ａｃｃｅｓｓ）資源が設定されない場合、端末は次の動作を行うことができる。
【０１２８】
１）ＣＢＲＡ（ｃｏｎｔｅｎｔｉｏｎ  ｂａｓｅｄ  ｒａｎｄｏｍ  ａｃｃｅｓｓ）資源に従ってビーム復旧（ｒｅｃｏｖｅｒｙ）を行うことができる。該当ＣＢＲＡ資源に連係されたＲＡＲコアセット／ＳＳをＢＦＲ−コアセットと仮定し、ここで、ビームの複数に対する応答受信を期待することができる。
【０１２９】
２）ＣＢＲＡ資源に連係されたＲＡＲコアセット／ＳＳを介してビームの複数に対する応答受信を期待することができる。
【０１３０】
３）初期のＤＬ／ＵＬ  ＢＷＰに帰り、ＣＦＲＡ／ＣＢＲＡ／ＲＡＲコアセット／ＳＳ資源を用いることができる。或いは、このオプションは該当活性化ＤＬ／ＵＬ  ＢＷＰ内にＢＦＲコアセット／ＳＳ又はＣＦＲＡ資源がない場合にのみ適用することもできる。
【０１３１】
［ＢＦＲ過程でのブラインドデコーディング及びチャネル推定の複雑度］
【０１３２】
ＮＲでは多数のコアセット及び検索空間集合に対するモニタリングを同じスロットに設定できる。従って、端末の複雑度（ｃｏｍｐｌｅｘｉｔｙ）を考慮し、一つのスロット内で行うことができるブラインドデコーディング（ｂｌｉｎｄ  ｄｅｃｏｄｉｎｇ：ＢＤ）の回数とチャネル推定（ｃｈａｎｎｅｌ  ｅｓｔｉｍａｔｉｏｎ）の回数の最大値を定義し、該当最大（ｍａｘ）値を超えるスロットでは、一部の検索空間集合／モニタリングの候補に対するモニタリングを行わないことがある。ＢＦＲコアセットに対するモニタリングを円滑に行うために、ＢＦＲコアセットに対するモニタリングを行うスロットでは、下記のようにモニタリングすべき候補を設定することができる（現在一般的なスロットでは共通検索空間（ｃｏｍｍｏｎ  ｓｅａｒｃｈ  ｓｐａｃｅ：ＣＳＳ）に対するＢＤ及びチャネル推定が優先的に行われ、ＣＳＳによる制限の超過はないと仮定する。以降、端末特定的検索空間（ＵＥ−ｓｐｅｃｉｆｉｃ  ｓｅａｒｃｈ  ｓｐａｃｅ：ＵＳＳ）に対して、検索空間集合レベル（ｌｅｖｅｌ）の候補の選択（又はマッピング）が行われ、多数のＵＳＳに対してより低い検索空間インデックスがより高い優先順位（ｈｉｇｈｅｒ  ｐｒｉｏｒｉｔｙ）を有すると仮定できる）。
【０１３３】
＜ＢＦＲ検索空間集合の優先順位＞
【０１３４】
１）ＢＦＲ検索空間集合に対するモニタリングを最優先順位と指定できる。ｉ）ＢＦＲ過程では、サービングビームの設定等が優先的に行われなければならないので、ＢＦＲに関する検索空間集合に属した候補のモニタリングを必ず行わなければならない。ｉｉ）従って、ＢＦＲに関する検索空間集合（例えば、ＢＦＲ過程で端末が送信したＰＲＡＣＨに対する応答及び以降の仮定）は、該当ＢＦＲ検索空間集合のタイプ（例えば、ＣＳＳ／ＵＳＳ）に関係なく、最も高い優先順位（ｐｒｉｏｒｉｔｙ）を設定し、該当検索空間集合に属した候補による制限の超過はないと仮定できる。
【０１３５】
２）ＢＦＲ検索空間集合に対するモニタリングは、スロット当たりのＢＤ及びＣＣＥの制限と別に行われることができる。ＢＦＲ関連のＤＣＩは、必ずしも受信したスロットでデコーディングを完了すべきではない。従って、既存に設定されたＤＣＩのモニタリングはスロット別ＢＤ及びＣＣＥの制限を考慮して行い続けて、ＳＦＲ検索空間集合に対するモニタリングを独立に行うことができる。このとき、ＢＦＲ検索空間集合によって設定されたＢＤ及びＣＣＥの数は制限を超えないと仮定できる。
【０１３６】
＜共通検索空間（ＣＳＳｓ）に対する仮定＞
【０１３７】
前述したように、一般的なスロット（即ち、ＢＦＲ過程を行わないスロット）では設定された共通検索空間が最大のＢＤ及びＣＣＥの数を超えないことを仮定することができる。
【０１３８】
しかし、ＢＦＲコアセットをモニタリングする場合、ＢＦＲのモニタリングのためのＢＤ／ＣＣＥの数が加えられるため、既存の共通検索空間によるＢＤ／ＣＣＥまで考慮する場合、ＢＤ／ＣＣＥの制限を超える場合が発生し得る。従って、ＢＦＲ検索空間集合をモニタリングするスロットでは、次のように仮定できる。下記のオプションは、単独で又は組み合わせを通じて具現されることができる。下記のオプションは、共通検索空間にのみ適用し、既存の設定によるＵＳＳは、ＢＦＲ過程中にモニタリングしないこともある。或いは、下記のオプションにより共通検索空間中にモニタリングを行う候補を選定し、以降にもＢＤ／ＣＣＥに対する余裕がある場合、ＵＳＳに対してＰＤＣＣＨを検索空間集合にマッピングすることを行うこともある。
【０１３９】
オプション１）ＢＦＲスロットでも既存に設定された共通検索空間はＢＤ及びＣＣＥの制限を超えないと仮定できる。これは、ネットワークがＢＦＲスロットでＢＦＲに関する候補に対するＢＤ及びチャネル推定を行っても、少なくとも既存に設定された共通検索空間に対するＢＤ及びＣＣＥの数は制限を超えないように設定することを意味することもできる。
【０１４０】
オプション２）ＢＦＲ検索空間集合によるＢＤ及びＣＣＥの数により、既存に設定された共通検索空間でのＢＤ及びＣＣＥの数が制限を超える場合、共通検索空間に対して検索空間集合レベルのドロップ（ｄｒｏｐ）を適用することができる。このとき、検索空間集合間の優先順位は、検索空間のインデックス（例えば、低い（高い）検索空間のインデックスが高い優先順位を有すると仮定）、ＤＣＩフォーマット（例えば、ＤＣＩフォーマット別に優先順位が定義される）等によって決定されることができる。
【０１４１】
例えば、一つのスロット内で定義されたＢＤの制限、ＣＣＥの制限を順にＸslot、Ｙslotと定義し、ＢＦＲ検索空間集合に設定されたＢＤ、ＣＣＥの数をＸBFR、ＹBFRというとき、該当スロットに設定された共通検索空間に許容されたＢＤ、ＣＣＥの数は順にＸCSS（＝Ｘslot−ＸBFR）、ＹCSS（＝Ｙslot−ＹBFR）といえる。このとき、該当スロットに設定された共通検索空間のうち、最も優先順位が高い共通検索空間集合のＢＤ及びＣＣＥの数がＸCSS、ＹCSSより小さい場合、該当共通検索空間に対するブラインドデコーディングは行うことができる。以降、ＸCSS、ＹCSS値は更新（ｕｐｄａｔｅ）され、該当過程を次の優先順位を有する共通検索空間に対して二つの制限のうち一つでも超える場合まで繰り返すことができる。制限を超える共通検索空間に対するＢＤは行わなくてもよい。
【０１４２】
候補レベルの候補ドロップもオプション２）に含まれることができる。
【０１４３】
オプション３）特定のスロットでＢＦＲ検索空間集合と一つ又は多数の共通検索空間集合に対するモニタリングの設定を受け、ＢＦＲ検索空間集合によってＢＤ及び／又はＣＣＥの数と共通検索空間集合によるＢＤ及び／又はＣＣＥの数が該当制限を超えた場合、共通検索空間に対するモニタリングを行わないことがある。
【０１４４】
オプション４）ＢＦＲコアセット／ＳＳのためのモニタリングは、端末能力にさらに含まれることもできる。即ち、ＢＦＲコアセット／ＳＳは、構成されただけ端末がさらにチャネル推定／ＢＤを既存の能力よりも行うことができると仮定し、チャネル推定／ＢＤの制限に考慮しなくてもよい。これは、ＢＦＲコアセット及び検索空間集合に対する能力は別に定義されることを意味するか、ＢＦＲ関連のＢＤ／チャネル推定は一般的なＤＣＩに対するＢＤ／チャネル推定と独立に常時行われると仮定することを意味する。ＢＤ及びチャネル推定に対する制限は、ＢＦＲコアセット／検索空間集合を除いた残りのコアセット／検索空間集合に適用されることを意味することができる。
【０１４５】
オプション５）ＢＦＲコアセットに対するモニタリングを行うスロットでは、既存のコアセット／検索空間集合の候補のうち、特定のＲＮＴＩに該当する候補のみモニタリングするように事前に定義されるか、上位層の信号等を介して指示されることができる。例えば、ＢＦＲコアセットに対するモニタリングを行うスロットでは、既存に設定されたコアセット／検索空間集合のうち、ＳＦＩに関するＰＤＣＣＨの候補のみをモニタリングするようにすることができる。さらに、この場合、既存のコアセットに対するモニタリングの際に、ＢＤ／ＣＣＥの制限を超えると、既存のコアセットに対するモニタリングを行わないことがある。
【０１４６】
オプション６）ＢＦＲコアセットをモニタリングすべきスロットでは、ＢＦＲコアセットを除いた他のコアセットに対するモニタリングを行わないように事前に定義するか、上位層の信号を介して指示できる。
【０１４７】
［受信ビームの優先順位］
【０１４８】
前述したように、ＮＲでは端末複雑度の側面で、ＢＤ、ＣＣＥの数等に対する制限を定義し、特定のスロットで該当制限を超える場合、モニタリングの候補のうち一部に対するモニタリングをスキップ（ｓｋｉｐ）する方式を使用することができる。このような方式は、端末が特定の時間資源（ｔｉｍｅ  ｒｅｓｏｕｒｃｅ）に使用する受信ビームに対しても適用されることができる。
【０１４９】
ＮＲでは多数のコアセットに対するモニタリングを同じスロットで行うことができ、このとき、各コアセットは時間／周波数領域でオーバーラップする（ｏｖｅｒｌａｐ、重なる）ことができる。また、各コアセットは、互いに異なるＱＣＬ（Ｑｕａｓｉ  Ｃｏ  Ｌｏｃａｔｉｏｎ）仮定が適用（即ち、コアセット別にＰＤＣＣＨのためのＴＣＩ状態を異なって設定）できる。これは、同じシンボルで互いに異なる受信ビームに受信すべきコアセットが多数含まれるということを意味し、ＲＦパネルが一つである端末（即ち、特定の時間資源で１つの受信ビームのみを受信することができる端末）は、多数の受信ビームのうち一つを選択すべきであるということを意味することができる。特定の受信ビームを使用して信号を受信するということは、端末具現の立場で特定の信号を受信するために、特定の空間フィルタ（ｓｐａｔｉａｌ  ｆｉｌｔｅｒ）を適用するという意味であり得る。前述したＱＣＬ仮定、ＴＣＩ等は、前記空間フィルタの適用に関する情報であると見ることができる。
【０１５０】
本発明では、多数の受信ビームのうち一つの受信ビームを設定する方法を提案する。これは、多数のＴＣＩ状態が同一の時間領域資源に設定される場合、該当ＴＣＩ状態に対する優先順位を設定し、最も高い優先順位のＴＣＩ状態を該当時間領域資源に適用するものと解釈されることもある。また、これは、時間領域でオーバーラップされる多数のコアセットに対する優先順位を設定するものと解釈されることもある。
【０１５１】
下記の方法によって端末が適用する受信ビームが決定される場合（又はＴＣＩ状態が決定される場合）、ネットワークは該当受信ビームに連係されたコアセットでの送信を優先的に行うか、不適切な受信ビームが使用されるコアセットの場合、コーディング率（ｃｏｄｉｎｇ  ｒａｔｅ）又は電力増強（ｐｏｗｅｒ  ｂｏｏｓｔｉｎｇ）等を通じて、受信性能を補償することができる。
【０１５２】
図１２は、本発明の一実施例に係る端末のＰＤＣＣＨのモニタリング方法を示す。
【０１５３】
図１２を参照すると、端末は複数のコアセットでＰＤＣＣＨのモニタリング時点（ｏｃｃａｓｉｏｎ）が重なる（ｏｖｅｒｌａｐ）場合、共通検索空間（ｃｏｍｍｏｎ  ｓｅａｒｃｈ  ｓｐａｃｅ：ＣＳＳ）を含む制御資源集合の優先順位を端末特定的検索空間（ＵＥ−ｓｐｅｃｉｆｉｃ  ｓｅａｒｃｈ  ｓｐａｃｅ：ＵＳＳ）を含む制御資源集合の優先順位に比べて高くし、特定のコアセットを選択する（Ｓ１００）。
【０１５４】
前記選択された特定のコアセット（前記選択されたコアセットと同一の受信ビームを使用するコアセット（例えば、ＱＣＬ特性（例えば、ＱＣＬ−ｔｙｐｅＤ）が同一であるコアセット）があれば、そのコアセットも含む）でＰＤＣＣＨをモニタリングする（Ｓ２００）。
【０１５５】
これから、前記複数のコアセットのうち少なくとも一つのコアセットを選択する具体的なオプション（方法）を説明する。以下で、便宜上各オプションを別に説明するが、下記のオプションは、単独で又は組み合わせて使用することもある。
【０１５６】
オプション１）測定ベースの優先順位
【０１５７】
端末は、測定及びレポートの結果に基づき、該当時間資源での受信ビームを設定することができる。例えば、時間領域の一つのシンボルに３個のコアセットが周波数領域にあり得る。即ち、３個のコアセットが時間領域で重なることができる。この場合、各コアセットのＱＣＬ仮定が異なる場合、各コアセットに連係された測定結果のうち、最もよい（ｂｅｓｔ）測定結果に基づき、該当シンボルでの受信ビームを設定することができる。一例として、各コアセットで測定されたＲＳＲＰ（又は各コアセットのＴＣＩ状態に設定されている信号のＲＳＲＰ）のうち、最も高い値を有するコアセットに連係された受信ビーム（又はＴＣＩ状態）を該当シンボルに適用することができる。オプション１で、受信ビームは端末が現在測定した値に基づいて決定されてもよく、最も最近レポートした測定結果に基づいて決定されてもよい。端末は、基地局に各コアセットで測定した値をレポートすることによって、前記端末が選択する受信ビームを基地局（ネットワーク）も分かるようにすることができる。
【０１５８】
オプション２）コアセット／検索空間集合のインデックスベースの優先順位
【０１５９】
コアセットのインデックス又は検索空間集合のインデックスに優先順位（ｐｒｉｏｒｉｔｙ）を付与し、該当資源に適用する受信ビームを決定することができる。例えば、端末はコアセットのインデックスが最も低い（又は最も高い）コアセット、若しくは最も低い検索空間集合のインデックスに連係されたコアセットのＴＣＩ状態に基づいて受信ビームを設定することができる。
【０１６０】
オプション３）メッセージベースの優先順位
【０１６１】
端末は、各コアセットでモニタリングすべきメッセージの優先順位（例えば、ＤＣＩフォーマット、ＲＮＴＩ、ＢＦＲ等）に基づいて受信ビームを設定することができる。例えば、ＳＦＩ、ｐｒｅ−ｅｍｐｔｉｏｎ等に関するＤＣＩをモニタリングするコアセットの受信ビームがフォールバックではないＤＣＩ（ｎｏｎ−ｆａｌｌｂａｃｋ  ＤＣＩ）をモニタリングするコアセットの受信ビームに比べて高い優先順位を有することができる。
【０１６２】
また別の例として、ＲＡＣＨ／ＳＩ更新／ページング等端末の通信を維持するために必要な情報に対するモニタリングを行うコアセットの受信ビームをより高い優先順位に設定できる。
【０１６３】
また別の例として、ＣＳＳ／ＵＳＳのような検索空間集合のタイプも優先順位を決定する要素として考慮されることができる。具体的に、ＣＳＳがＵＳＳに比べて高い優先順位を有することができる。
【０１６４】
ビーム誤謬復旧（又はビーム管理）等に関係したコアセットの場合、モニタリングを行うべきスロット内のコアセットの優先順位に関係なく、常時最も高い優先順位を付与することができる。
【０１６５】
例えば、もし、端末がｉ）単一セルの動作が設定されているか、又は同じ周波数帯域で搬送波集成による動作が設定されており（Ｉｆ  ａ  ＵＥ  ｉｓ  ｃｏｎｆｉｇｕｒｅｄ  ｆｏｒ  ｓｉｎｇｌｅ  ｃｅｌｌ  ｏｐｅｒａｔｉｏｎ  ｏｒ  ｆｏｒ  ｏｐｅｒａｔｉｏｎ  ｗｉｔｈ  ｃａｒｒｉｅｒ  ａｇｇｒｅｇａｔｉｏｎ  ｉｎ  ａ  ｓａｍｅ  ｆｒｅｑｕｅｎｃｙ  ｂａｎｄ）、ｉｉ）一つ以上のセルの活性化ＢＷＰ（ｓ）に対する互いに異なるＱＣＬ特性（例えば、ＱＣＬ−ｔｙｐｅＤ特性）を有する複数のコアセットで重なるＰＤＣＣＨのモニタリング機会でＰＤＣＣＨの候補をモニタリングする場合（ｉｆ  ｔｈｅ  ＵＥ  ｍｏｎｉｔｏｒｓ  ＰＤＣＣＨ  ｃａｎｄｉｄａｔｅｓ  ｉｎ  ｏｖｅｒｌａｐｐｉｎｇ  ＰＤＣＣＨ  ｍｏｎｉｔｏｒｉｎｇ  ｏｃｃａｓｉｏｎｓ  ｉｎ  ｍｕｌｔｉｐｌｅ  ＣＯＲＥＳＥＴｓ  ｔｈａｔ  ｈａｖｅ  ｓａｍｅ  ｏｒ  ｄｉｆｆｅｒｅｎｔ  ＱＣＬ−ＴｙｐｅＤ  ｐｒｏｐｅｒｔｉｅｓ  ｏｎ  ａｃｔｉｖｅ  ＤＬ  ＢＷＰ（ｓ）  ｏｆ  ｏｎｅ  ｏｒ  ｍｏｒｅ  ｃｅｌｌｓ）、端末は最も低いインデックスを有するＣＳＳ集合に対応する一つ以上のセルから最も低いインデックスを有するセルの活性化ＤＬ  ＢＷＰ上のコアセット（ｔｈｅ  ＣＯＲＥＳＥＴ  ｃｏｒｒｅｓｐｏｎｄｉｎｇ  ｔｏ  ｔｈｅ  ＣＳＳ  ｓｅｔ  ｗｉｔｈ  ｔｈｅ  ｌｏｗｅｓｔ  ｉｎｄｅｘ  ｉｎ  ｔｈｅ  ｃｅｌｌ  ｗｉｔｈ  ｔｈｅ  ｌｏｗｅｓｔ  ｉｎｄｅｘ  ｃｏｎｔａｉｎｉｎｇ  ＣＳＳ）（もし、前記複数のコアセットのうち、前記コアセットとＱＣＬ特性（ＱＣＬ−ＴｙｐｅＤ特性）が同一である他のコアセットがあれば、前記他のコアセットも含む（ｉｎ  ａｎｙ  ｏｔｈｅｒ  ＣＯＲＥＳＥＴ  ｆｒｏｍ  ｔｈｅ  ｍｕｌｔｉｐｌｅ  ＣＯＲＥＳＥＴｓ  ｈａｖｉｎｇ  ｓａｍｅ  ＱＣＬ−ＴｙｐｅＤ  ｐｒｏｐｅｒｔｉｅｓ  ａｓ  ｔｈｅ  ＣＯＲＥＳＥＴ））でのみＰＤＣＣＨをモニタリングすることができる。
【０１６６】
重なった（ｏｖｅｒｌａｐ）ＰＤＣＣＨのモニタリング機会で少なくとも一つのＰＤＣＣＨの候補を有する全てのＵＳＳ集合に対して、最も低いＵＳＳ集合のインデックスが決定できる。
【０１６７】
即ち、互いに異なるコアセットに関連した複数の検索空間（集合、以下同一）をモニタリングする端末は、単一セルの動作又は周波数帯域内の搬送波集成の動作を行うことができる。この場合、もし、前記検索空間（集合）のモニタリング機会（ｍｏｎｉｔｏｒｉｎｇ  ｏｃｃａｓｉｏｎ）が時間領域で重なり（ｏｖｅｒｌａｐｐｅｄ）、前記検索空間が互いに異なるＱＣＬ−ｔｙｐｅＤ特性（ｐｒｏｐｅｒｔｉｅｓ）を有する互いに異なるコアセットに関連すれば、端末はＣＳＳを含む最も低いサービングセルのインデックスを有するサービングセルの活性化ＤＬ  ＢＷＰで最も低いインデックスを有するＣＳＳ（集合）に対応する（含む）コアセットでＰＤＣＣＨをモニタリングする。このとき、前記与えられたコアセットのＱＣＬ−ｔｙｐｅＤ特性と同一のＱＣＬ−ｔｙｐｅＤ特性を有する他のコアセットもモニタリングできる。例えば、二つ以上のコアセットがそれぞれＣＳＳ（集合）を含むならば、端末は最も低いサービングセルのインデックスを有するサービングセルの活性化ＤＬ  ＢＷＰでのモニタリング機会で最も低いインデックス（又はＩＤ）を有する検索空間を含むコアセットを選択することができる。このとき、前記コアセットと同一のＱＣＬ−ｔｙｐｅＤ特性を有するコアセットに関連した重なった検索空間もモニタリングできる。
【０１６８】
もし、コアセットのうち、何もＣＳＳを含まなければ、端末は最も低いサービングセルのインデックスを有するサービングセルの活性化ＤＬ  ＢＷＰでのモニタリング機会で、最も低いインデックス（又はＩＤ）を有するＵＳＳを含むコアセットを選択することができる。このとき、前記コアセットと同一のＱＣＬ−ｔｙｐｅＤ特性を有するコアセットに関連した重なった検索空間もモニタリングできる。このような目的のために、ＣＳＩ−ＲＳがＳＳＢに由来したとき、前記ＳＳＢに対するＱＣＬ  ＴｙｐｅＤ及びＣＳＩ−ＲＳ（又はＴＲＳ）に対するＱＣＬ  ＴｙｐｅＤは、互いに異なるＱＣＬ  ＴｙｐｅＤと見なされることができる。
【０１６９】
一方、選択されない検索空間は（重なる部分のみをモニタリングしないパンクチャリングではなく）全体がドロップするものと見なすことができる。
【０１７０】
ＰＤＣＣＨのモニタリングのための非オーバーラップのＣＣＥ及びＰＤＣＣＨの候補の割り当ては、一つ以上のセルの活性化ＤＬ  ＢＷＰ上の多数のコアセットと関連した全ての検索空間集合によって決定されることができる。活性化ＴＣＩ状態の数は、前記複数のコアセットから決定されることができる。
【０１７１】
端末は、前記端末に対するＤＣＩを含む（検出された）ＰＤＣＣＨによってＰＤＳＣＨをデコーディングすることができ、そのデコーディングのために「ＰＤＳＣＨ−ｃｏｎｆｉｇ」という上位層のパラメータ内にＭ個までのＴＣＩ−状態の設定（ＴＣＩ−Ｓｔａｔｅ  ｃｏｎｆｉｇｕｒａｔｉｏｎ）を含むリストの設定を受けることができる。また、Ｍ値は、端末能力（例えば、ＢＷＰ別に活性化されることができるＴＣＩの最大の数）に従属的であり得る。
【０１７２】
ここで、各ＴＣＩ−状態は、（１つまたは２つの）参照信号とＰＤＳＣＨのＤＭ−ＲＳポート間の準共同位置（ｑｕａｓｉ  ｃｏ−ｌｏｃａｔｉｏｎ：ＱＣＬ）の関係を設定するためのパラメータを含むことができる。準共同位置の関係は、第１ダウンリンク参照信号（ＤＬ  ＲＳ）に対する上位層のパラメータｑｃｌ−Ｔｙｐｅ１、（設定されれば）第２ダウンリンク参照信号（ＤＬ  ＲＳ）に対する上位層のパラメータｑｃｌ−Ｔｙｐｅ２により設定されることができる。２個のダウンリンク参照に対して、ＱＣＬ  ｔｙｐｅｓは同一でなくてもよい。各ダウンリンク参照信号に対応する準共同位置のタイプは、上位層のパラメータであるｑｃｌ−Ｔｙｐｅ（ＱＣＬ−Ｉｎｆｏに含む）によって与えられ、ＱＣＬ−ＴｙｐｅＡ、ＱＣＬ−ＴｙｐｅＢ、ＱＣＬ−ＴｙｐｅＣ、ＱＣＬ−ＴｙｐｅＤの何れかであってもよい。
【０１７３】
端末は８個までのＴＣＩ状態をＤＣＩフィールド「送信設定指示（Ｔｒａｎｓｍｉｓｓｉｏｎ  Ｃｏｎｆｉｇｕｒａｔｉｏｎ  Ｉｎｄｉｃａｔｉｏｎ）」のコードポイントにマッピングするのに使用される活性化命令（ａｃｔｉｖａｔｉｏｎ  ｃｏｍｍａｎｄ）を受信することができる。前記活性化命令を運ぶＰＤＳＣＨに対応するＨＡＲＱ−ＡＣＫがスロットｎで送信されれば、前記ＤＣＩフィールド「送信設定指示」のコードポイントとＴＣＩ状態間のマッピングは、一定時間の経過後から（例えば、スロット（ｎ＋３Ｎsubframe,μslot＋１）で）適用されることができる。ＴＣＩ状態の初期の上位層の設定を受信した後、及び前記活性化命令の受信以前に、端末はサービングセルのＰＤＳＣＨのＤＭ−ＲＳポートが「ＱＣＬ−ＴｙｐｅＡ」に対する初期接続手続で決定されたＳＳ／ＰＢＣＨブロックと準共同位置にあると仮定できる。適用可能な場合、「ＱＣＬ−ＴｙｐｅＤ」に対してもそうである。
【０１７４】
オプション４）モニタリング機会の時間順による優先順位
【０１７５】
端末はスロット内で各コアセットの検索空間集合のモニタリング順によって、  先にくる検索空間集合のビームに連係された受信ビームを適用することができる。即ち、コアセットの開始シンボルのインデックスによって各コアセットの優先順位が決定できる。同じコアセットが多数の検索空間集合に連係され、同じ開始シンボルを有する場合、検索空間集合のインデックス等の優先順位に基づいて受信ビームを決定することができる。
【０１７６】
即ち、モニタリングを行うべき検索空間集合のうち、連係されたコアセットの開始シンボルのインデックスが低いほど（又は高いほど）高い優先順位を有することができる。
【０１７７】
オプション５）コアセットに連係された検索空間集合の数によって、コアセットの優先順位を決定することができる。
【０１７８】
前述したように、ＮＲではＢＷＰ別に３個のコアセットと１０個の検索空間集合が設定でき、これは、一つのコアセットに多数の検索空間集合が連係できるということを意味する。オプション５は、特定のスロットで多数のコアセットに連係された多数の検索空間集合をモニタリングしなければならず、各コアセットのＴＣＩ状態が異なる場合、連係された検索空間集合の数が多くのコアセットの優先順位を高く付与する方法を意味する。このとき、連係された検索空間集合の数は、該当スロットでモニタリングを行う検索空間集合に限定されることもある。
【０１７９】
オプション６）ＴＣＩ状態に基づいて、コアセットの優先順位を決定することができる。
【０１８０】
即ち、各コアセットに設定されたＴＣＩ状態によって優先順位が決定されることもある。一例として、ＲＲＣ信号によって設定されるＴＣＩ状態のうち、より低い（又はより高い）インデックスのＴＣＩ状態がより高い優先順位に設定できる。或いは、チャネルの状況に対して、最も最新の情報を適用するために、時間上で最も最近設定されたＴＣＩ状態が最も高い優先順位に設定されることもある。基地局は予め決められた複数のＴＣＩ状態（例えば、６４個）のうち一部のＴＣＩ状態（例えば、８個）をＲＲＣメッセージを通じて知らせ、前記一部のＴＣＩ状態のうち一つを、ＭＡＣ  ＣＥを介して知らせることができる。或いは、基地局は予め決められた複数のＴＣＩ状態のうち何れかをＲＲＣメッセージを通じて直接知らせることもある。
【０１８１】
また別の方式で、各コアセットのＴＣＩ状態を決定する方式によって優先順位が決定されることもあり、これは早くチャネルの変化に対応できるＴＣＩ状態に優先順位をおく方式であるといえる。例えば、特定のコアセットに対してＲＲＣ信号によって多数のＴＣＩ状態が指示され、ＭＡＣ  ＣＥシグナリングによって実際に適用するＴＣＩ状態が選択されるコアセットがＲＲＣシグナリングだけでＴＣＩ状態が設定されるコアセットに比べて、より高い優先順位を有することもできる。
【０１８２】
さらに、前記で提案したように、優先順位の規則が決定される場合、優先順位の低いコアセットは、オーバーラップ（重なり）が発生するスロットでモニタリングを行わない等、モニタリングの機会が減るか、又は性能低下の発生する頻度が増加し得る。従って、本発明では、さらに優先順位の規則が周期的に又は非周期的に変更されることを提案する。これは、事前定義により、又はネットワークの指示により行われることができる。例えば、スロット（サブフレーム、フレーム）のインデックス等が優先順位の規則を変更する基準に用いられることができる。一例として、前記のオプション２）が適用される場合、スロットのインデックスが奇数である場合、低いインデックスの検索空間集合に連係されたコアセットに高い優先順位を設定し、スロットのインデックスが偶数である場合、高いインデックスの検索空間集合に連係されたコアセットに高い優先順位を設定することができる。そうすると、優先順位により特定のコアセット又は特定の検索空間集合に対するモニタリング機会が減少することを防止し得るというメリットがある。
【０１８３】
前記では特定の時間資源で互いに異なるＴＣＩ状態を有するコアセットが重複して設定される場合、どんなＴＣＩ状態に基づいて受信ビームを設定するかについて提案した。本発明では、さらに一つのコアセット内に、他のコアセットと重複する時間資源と該当コアセットのみ存在する時間資源とがいずれも存在する場合、各領域に対する受信ビームの設定方法を提案する。
【０１８４】
図１３は、互いに異なるＴＣＩ状態が設定された互いに異なる２個のコアセットが、時間領域で部分的に重なる場合を例示する。
【０１８５】
図１３から分かるように、各コアセットに対するモニタリングを行うとき、端末が適用すべき受信ビームが互いに異なり、２個のコアセットが重なる場合、前記で提案した優先順位の規則によって端末が適用すべき受信ビーム（或いは端末が仮定すべきＴＣＩ状態）が決定できる。
【０１８６】
例えば、図１３でコアセット＃２の優先順位が高ければ、端末は重複した領域で受信ビーム＃１を適用することができる。しかし、この場合、コアセット＃３のシンボル＃２で、どんな受信ビームを使用して受信するかが決定されなければならない。このため、本発明では下記のオプションを提案し、下記オプションは、単独で又は組み合わせを通じて具現できる。特定のコアセットの受信ビームを設定するというのは、該当コアセットのＴＣＩ状態に適合な受信ビームを設定するということを意味することができる。
【０１８７】
さらに、下記のオプションは、各スロット別コアセットの集合別に行われることができる。例えば、各集合は時間領域で部分的に又は完全に重なったコアセットで構成されることができ、一つのスロット内に存在する全てのコアセットが一つの集合を構成することもできる。
【０１８８】
オプション１）各時間資源別に優先順位によって受信ビームを設定。
【０１８９】
各時間資源（例えば、ＯＦＤＭシンボル）で最も優先順位が高いコアセットのＴＣＩ状態に基づいて、該当時間資源での受信ビームを設定することができる。この場合、同一のコアセット内で互いに異なる受信ビームにより、隣接シンボル間の同一のプリコーディング（ｐｒｅｃｏｄｉｎｇ）を仮定することができない場合が発生し得、該当コアセットでは時間領域ＲＥＧバンドリング（ｂｕｎｄｌｉｎｇ）が適用されないと仮定できる。或いは、同一の受信ビームを使用する時間資源内でのみ時間領域のバンドリングが適用されると仮定できる。
【０１９０】
オプション２）重複したコアセットのうち、最も高い優先順位を有するコアセットに対する受信ビームを、重複領域を含む多数のコアセットに適用する方法である。
【０１９１】
オプション２は、同一の時間資源を含むコアセットに対して、該当コアセットのうち最も高い優先順位を有するコアセットのＴＣＩ状態に基づいて、重複するコアセット全体に対する受信ビームを設定することができる。これは、時間領域で（例えば、シンボルレベル）重複しないコアセットは、各コアセットのＴＣＩ状態に基づいて受信ビームを設定するということを意味することができる。
【０１９２】
オプション３）一つのスロットで互いに異なるＴＣＩ状態を有するコアセットが多数存在する場合、前記で提案した優先順位の規則によって最も高い優先順位と決定されたコアセットのＴＣＩ状態を該当スロット全体に適用できる。これは、互いに異なるＴＣＩ状態が設定された互いに異なるコアセットを同一のスロットでモニタリングする場合、優先順位の低いコアセットは、該当スロットに限って受信ビームを変更（即ち、設定と異なるＴＣＩ状態を仮定）できるということを意味することができる。
【０１９３】
オプション４）端末は互いに異なるＴＣＩ状態が設定されたコアセットが、時間領域で部分的に又は完全にオーバーラップ（重なり）される場合、最も高い優先順位を有するコアセットに属した検索空間集合の候補に対してのみモニタリングを行うように仮定できる。また、これは、時間領域でオーバーラップされないコアセットに対するモニタリングが設定によって行うことを含んでもよい。或いは、該当スロットのうち、互いに異なる受信ビームを仮定すべきコアセットがオーバーラップする場合、該当スロット全体で最も優先順位が高いコアセットに対するモニタリングのみを行うものと解釈されることもできる。
【０１９４】
オプション４は、ＢＦＲコアセット／検索空間集合をモニタリングしなければならず、該当ＢＦＲコアセットでのＴＣＩ状態が既存のコアセット（即ち、ＢＦＲ以前にモニタリングを行うように設定されたコアセット／検索空間集合）と異なる場合、該当スロットではＢＦＲコアセットに対するモニタリングのみを行う場合を含むことができる。また、これは、既存のコアセットとＢＦＲコアセットとが同じスロットでモニタリングされ、既存のコアセットのうち、ＢＦＲコアセットと同じ受信ビームを使用するコアセットが存在する場合、該当コアセットに対しては、モニタリングを行う場合も含むこともある。
【０１９５】
例えば、端末は、最も低いサービングセルのインデックスを有するサービングセルの活性化ＤＬ  ＢＷＰでのモニタリング機会で最も低いインデックス（又はＩＤ）を有する検索空間を含む第１コアセットを選択することができる。このとき、前記第１コアセットと同一のＱＣＬ−ｔｙｐｅＤ特性を有する他のコアセットに関連した重なった検索空間もモニタリングできるが、これは、結局のところ、第１コアセットと同一の受信ビームを使用するコアセットが存在する場合、そのコアセットでもＰＤＣＣＨのモニタリングを行うという意味であり得る。
【０１９６】
＜ＴＣＩ−状態のＰＤＣＣＨがないコアセットに対するＱＣＬ仮定＞
【０１９７】
各コアセットに対して、「ＣｏｎｔｒｏｌＲｅｓｏｕｒｃｅＳｅｔ」と呼ばれる情報要素（ｉｎｆｏｒｍａｔｉｏｎ  ｅｌｅｍｅｎｔ：ＩＥ）が提供できる。また、コアセットとＤＬ  ＲＳ／ＳＳＢ間のＱＣＬ関係を提供するために、前記ＩＥ内に「ｔｃｉ−ＳｔａｔｅｓＰＤＣＣＨ」と呼ばれるパラメータが設定できる。
【０１９８】
しかし、前記「ｔｃｉ−ＳｔａｔｅｓＰＤＣＣＨ」は選択的（ｏｐｔｉｏｎａｌ）なパラメータであるので、複数のコアセットのうち一部のコアセットには、前記パラメータが設定されないこともある。このようなコアセットをＴＣＩのないコアセットと称することができ、ＴＣＩのないコアセットでＰＤＣＣＨを受信するための受信ビームを決定するために、デフォールトのＱＣＬ仮定が必要である。
【０１９９】
端末はＴＣＩのないコアセットに対して、最も最近のＲＡＣＨ過程が適用されたコアセットからのＱＣＬを前記デフォールトのＱＣＬと仮定できる。
【０２００】
ＢＦＲ−コアセット（ビーム誤謬復旧過程のための）に対して、端末はビーム誤謬復旧要請で端末によって識別された候補ビームのＤＬ  ＲＳと前記専用コアセットが空間的にＱＣＬされていると仮定できる。
【０２０１】
ＰＤＣＣＨの側面で、ＢＦＲ−コアセットに対して、ビーム誤謬回復を通じた黙示的な空間ＱＣＬ更新（コアセットの設定に関係なく）及び／又はビーム管理過程が仮定されるということを意味することができる。
【０２０２】
ＢＦＲ−コアセット以外にも、どんなコアセットがＴＣＩ状態と関連していないかを明確にすべき必要がある。例えば、コアセット＃０（ＰＢＣＨにより）、コアセット＃１（ＲＭＳＩにより）は、ＴＣＩ状態と関連していなくてもよい。一般に、ＵＳＳ動作のための他のコアセットの場合、ＴＣＩ状態が設定されることが好ましい。
【０２０３】
ＲＡＣＨ過程が競合なし（ｃｏｎｔｅｎｔｉｏｎ−ｆｒｅｅ）を含むことができるかに対しても明確にすることが必要である。競合なしは、ＳＳＢなしでＣＳＩ−ＲＳに基づくことができ、ＣＳＩ−ＲＳと関連したＱＣＬは、コアセット＃０及び／又はコアセット＃１に対して安定的ではないことがある。従って、少なくともコアセット＃０及び／又はコアセット＃１に対しては、最近の競合ベースＲＡＣＨ過程に基づいて、ＱＣＬ情報を変更することがさらに安全である。
【０２０４】
即ち、「ｔｃｉ−ＳｔａｔｅｓＰＤＣＣＨ」設定されないコアセットは、最も最近行ったＲＡＣＨ過程から導出したＱＣＬ仮定を適用することができる。
【０２０５】
以下では、より具体的にＱＣＬ仮定を導出する方法をさらに提案する。下記で競合ベースＲＡＣＨは、ＳＳＢに基づいて（測定結果に起因した）最もよいＳＳＢに連係された資源でのＲＡＣＨ過程を行うということを意味することができる。競合なしのＲＡＣＨ過程は、基地局（ｇＮＢ）のシグナリングによってＣＳＩ−ＲＳポート（又はＳＳＢ）等に連係された資源でＲＡＣＨ過程を行う場合を意味することができる。
【０２０６】
競合なしのＲＡＣＨ過程は、ネットワークの設定に基づくため、測定と関係なくシグナリングされるか、ネットワークが端末の測定レポートに基づいてシグナリングすることもできる。また、ＣＳＩ−ＲＳポートの場合、ＳＳＢとの連係をシグナリングしてもよく、しなくてもよい。即ち、競合なしのＲＡＣＨ過程は、ＳＳＢとの連係性及び測定結果の反映等を確信できない場合が発生し得る。これは、ＳＳＢと連係されて、コアセット及び検索空間集合が設定できるコアセット＃０、＃１等の動作で性能を低下させる要因として作用できる。例えば、端末は誤った送信ビームに対する仮定に基づいて受信ビームを設定する場合が発生し得る。
【０２０７】
１．端末は、ＲＡＣＨ過程のタイプ（即ち、競合ベース／競合なしのＲＡＣＨ過程）と関係なく、最も最近行ったＲＡＣＨ過程から導出したＱＣＬ仮定（ａｓｓｕｍｐｔｉｏｎ）をＴＣＩのないコアセット（ＴＣＩ−ｌｅｓｓコアセット）に適用できる。
【０２０８】
２．端末は、ＴＣＩ−ｌｅｓｓコアセットのＱＣＬ仮定は最も最近行った競合ベースのＲＡＣＨ過程で導出した結果のみを適用できる。例えば、実際に最も最近行ったＲＡＣＨ過程が競合なしの方式である場合、該当結果を無視し、最も最近行った競合ベースのＲＡＣＨ過程から導出したＱＣＬ仮定を該当コアセットに適用するということを意味することができる。
【０２０９】
３．コアセット別に互いに異なるＲＡＣＨ過程のＱＣＬ仮定を使用することもできる。例えば、コアセット＃０（及び／又は＃１）は、最も最近行った競合ベースのＲＡＣＨ過程から導出したＱＣＬ仮定を適用し、残りのコアセットは、競合可否と関係なく、最も最近行ったＲＡＣＨ過程からＱＣＬ仮定を導出することができる。
【０２１０】
また別の例として、ＣＳＳが設定されたコアセットは、最も最近行った競合ベースのＲＡＣＨ過程から導出したＱＣＬ仮定を適用し、ＵＳＳが設定されたコアセットは競合可否と関係なく、最も最近行ったＲＡＣＨ過程からＱＣＬ仮定を導出することができる。このとき、ＣＳＳとＵＳＳがいずれも設定されたコアセットの最も最近行った競合ベースのＲＡＣＨ過程から導出したＱＣＬ仮定を適用することもできる。
【０２１１】
４．前記で提案した方式で、競合なしのＲＡＣＨ過程と言えども、連係されたＳＳＢが指示されるか、黙示的に連係されたＳＳＢが分かる場合、該当競合なしのＲＡＣＨ過程から導出したＱＣＬ仮定をＴＣＩ−ｌｅｓｓコアセットに適用することもできる。
【０２１２】
さらに、本発明では、ＴＣＩ−ｌｅｓｓコアセットに対して、どんなＲＡＣＨ過程のタイプからＱＣＬ仮定を導出するかをネットワークが上位層の信号等を通じて端末に知らせることもできる。このとき、競合なしのＲＡＣＨ過程で与えられるＣＳＩ−ＲＳポートに連係されたＳＳＢ情報を端末に知らせる方法も含まれることができる。
【０２１３】
＜時間領域で重なるコアセット間のＱＣＬ仮定（ＱＣＬ  ａｓｓｕｍｐｔｉｏｎ  ｂｅｔｗｅｅｎ  ｏｖｅｒｌａｐｐｅｄ  ＣＯＲＥＳＥＴｓ  ｉｎ  ｔｉｍｅ  ｄｏｍａｉｎ）＞
【０２１４】
各コアセットは、自身のＱＣＬ仮定を有することができる。また、互いに異なるコアセットは、時間領域及び／又は周波数領域で重なることができる。これは、互いに異なるＱＣＬ仮定を有するコアセットが、同じシンボルで重なり得るということを意味することができる。
【０２１５】
端末は、各コアセットのＴＣＩ状態を考慮し、各コアセットをモニタリングするための受信ビームを決定する。従って、互いに異なるＱＣＬ仮定を有するコアセットが時間領域の資源（例：ＯＦＤＭシンボル）で重なる場合、端末は複数の受信ビームを支援するか、又は特定の選択規則によって、一つの受信ビーム（又はＴＣＩ状態）を選択すべきである。現在までは、複数の受信ビームを使用する端末を考慮していない。従って、次のオプションを考慮することができる。
【０２１６】
オプション１）低い優先順位のコアセットのモニタリングをスキップ。
【０２１７】
コアセットの選択規則は、他の（空間）ＱＣＬを有するコアセットが時間資源に重なる際に適用されることができる。また、端末は選択されないコアセットに含まれたモニタリングの候補はスキップできる。各コアセットの優先順位は、例えば、コアセットＩＤ、コアセットと関連した検索空間集合の数、関連した検索空間タイプ等によって決定できる。検索空間タイプには共通検索空間（ＣＳＳ）と端末特定的検索空間（ＵＳＳ）があり得る。ＰＤＣＣＨに対するモニタリング時点（ｍｏｎｉｔｏｒｉｎｇ  ｏｃｃａｓｉｏｎ）は、コアセットと前記コアセットに関連した検索空間集合との組み合わせで設定されることができる。例えば、第１コアセットにはＣＳＳが関連し、第２コアセットにはＵＳＳが関連し、前記第１、２コアセットが時間領域で重なる場合、端末は第１コアセットのみをモニタリングできる。
【０２１８】
オプション２）重なったコアセットに対する代表的（ｒｅｐｒｅｓｅｎｔｉｖｅ）空間ＱＣＬ
【０２１９】
オプション２は、オプション１のような優先順位の規則を使用して重なったコアセットを並び、優先順位の低いコアセットを削除する代わりに、優先順位の低いコアセットでＱＣＬ状態を変更することができる。即ち、重なったコアセットで同一の空間ＱＣＬを仮定し、オプション１で言及されたコアセットの優先順位を使用し、代表的なＱＣＬを選択することができる。言い換えると、重なったコアセットに対するＱＣＬ仮定は、最も優先順位の高いコアセットのＱＣＬに従うことができる。このオプションは、さらに多くのＰＤＣＣＨの送受信機会を提供することができるが、優先順位の低いコアセットのＰＤＣＣＨ性能は、送信ビームと受信ビームとの不一致により減少することもある。
【０２２０】
オプション３）互いに異なる空間ＱＣＬを有するコアセットの重なりを許容しない方法。
【０２２１】
ネットワークが互いに異なる空間ＱＣＬを有する重なったコアセットをスケジューリングしないと端末は仮定できる。しかし、スケジューリングを介して重なりを常時避けることができるかは確実ではない。
【０２２２】
＜一つのスロットで同じコアセットの同じ検索空間に対するモニタリング機会が複数回設定されるケース２における候補マッピング＞
【０２２３】
ケース２のスロット別チャネル推定のためのＣＣＥの数は、ケース１と同一であってもよい。ケース１は、一つのスロットで一回のモニタリング機会のみ設定されることができる場合である。即ち、ケース１、２いずれもにおいて、副搬送波間隔（ｓｕｂｃａｒｒｉｅｒ  ｓｐａｃｉｎｇ：ＳＣＳ）｛１５ｋＨｚ、３０ｋＨｚ、６０ｋＨｚ、１２０ｋＨｚ｝に対して、順にスロット別チャネル推定のためのＣＣＥの数は、｛５６、５６、４８、３２｝であってもよい。
【０２２４】
端末にはケース１又はケース２が設定できる。端末にはケース１及びケース２に対する検索空間集合をモニタリングするように設定されることができる。例えば、ｅＭＢＢとＵＲＬＬＣ間で共有される資源（スロットベースのスケジューリング）を通じて共通情報が送信できる。また、サービス−特定的なデータは、ｅＭＢＢのためのスロットベースのスケジューリングによって送信され、ＵＲＬＬＣのための非スロットベースのスケジューリングによって送信されることができる。この場合、ＵＲＬＬＣ端末は、２つのタイプ（即ち、ケース１及びケース２）を受信することができる。
【０２２５】
提案１：端末はケース１の検索空間集合及びケース２の検索空間集合をいずれもモニタリングするように設定されることができ、前記検索空間集合は、一つのスロット内でモニタリングされることができる。
【０２２６】
提案２：コアセット／ＳＳ設定に関係なく、副搬送波間隔｛１５ｋＨｚ、３０ｋＨｚ、６０ｋＨｚ、１２０ｋＨｚ｝に対して、要素の搬送波別、端末別、スロット別のチャネル推定のためのＣＣＥの最大の数は、順に｛５６、５６、４８、３２｝であってもよい。これは、ＢＤの制限にも同じように適用されることができる。
【０２２７】
＜ケース２における候補マッピング＞
【０２２８】
ＳＳ集合の設定で設定されたＢＤ／ＣＣＥの数がケース１とケース２との間でほぼ同一であれば、一般にケース２の必要なＢＤ／ＣＣＥの数は、ケース１のそれよりもはるかに大きい。ケース２の検索空間集合に対するＣＣＥの数のカウンティングの観点から、各モニタリング機会に必要なＣＣＥの数に一つのスロット内モニタリング機会の数を掛けなければならない。これを通じて必要なＣＣＥ／ＢＤがモニタリング機会の数に比例して増加する。従って、ケースに対して、検索空間集合レベルのチャネル推定／ＢＤ処理を共に使用する場合、特に、モニタリング機会が多いとき、ケース２の全体モニタリング機会が減少し得る。これは、例えば、ＵＲＬＬＣの支援に影響を与え得る。このような影響を緩和するために、モニタリング機会に基づく候補選択をさらに考慮できる（例：一部のモニタリング機会がドロップし得る）。
【０２２９】
提案１：スロット内での検索空間集合−レベルのＰＤＣＣＨのマッピングは、ケース２に対するＢＤ／ＣＥの複雑度処理にも用いられることができる。
【０２３０】
＜ＢＦＲコアセット／検索空間集合＞
【０２３１】
ＢＦＲコアセット及び関連した検索空間集合がビーム誤謬復旧手続のために構成されることができる。前記ＢＦＲコアセット／検索空間集合は、ビーム誤謬復旧手続によって活性化され、端末はビーム誤謬復旧手続（例：ＰＲＡＣＨ送信）以前及び新しいコアセット／検索空間集合の設定又はＴＣＩの更新後にはＢＦＲコアセットでＰＤＣＣＨの候補のモニタリングを期待しなくてもよい。
【０２３２】
一方、ＢＦＲコアセットのモニタリングウィンドウで既存のコアセット（即ち、ＢＦＲ手続以前にモニタリングするように構成されたコアセット）でのＰＤＣＣＨのモニタリングが行われるか否かは確実ではない。ＢＦＲコアセットでは、共通情報（例えば、ＳＦＩ、システム情報、ページング等）をモニタリングできないため、ＢＦＲコアセットのモニタリングウィンドウでも、端末が既存のコアセットのＰＤＣＣＨの候補をモニタリングできることが好ましい。
【０２３３】
提案２：端末はＢＦＲ過程の間にＢＦＲ−コアセットではない他の活性のコアセットでモニタリングし続ける。
【０２３４】
コアセットのＴＣＩ状態は、明示的設定を通じてのみアップデートされることを期待することができる。従って、ＢＦＲ過程の間に、端末は古にＴＣＩ状態を有するコアセットをモニタリングすることができる。ＢＦＲ−コアセット及び他のコアセットが潜在的に他のＱＣＬ／ＴＣＩ情報と共に同一の時間資源でモニタリングされる際に（よって、潜在的に他の受信ビームを誘導する際に）、処理方法が必要である。簡単な解決策は、ＢＦＲコアセットが時間領域で古いコアセットと重なると、端末が前記古いコアセットのモニタリングをスキップすることである。即ち、他のコアセットとＢＦＲ−コアセットとが衝突するとき、ＢＦＲ−コアセットを優先とすることである。
【０２３５】
また別の問題は、端末のチャネル推定／ＢＤの制限下でＢＦＲ−検索空間に対するＣＣＥ／ＢＤをカウント（含む）すべきか否かである。本発明では、モニタリングの際に、ＢＦＲ−検索空間のＣＣＥ／ＢＤをカウント（含む）することを提案する。
【０２３６】
ＣＳＳはＵＳＳに比べて、ＰＤＣＣＨのマッピングで優先順位が高く、ＣＳＳのＢＤ／ＣＣＥの数は、各制限を超えないと仮定した。しかし、ＢＦＲコアセットをモニタリングするように構成されたスロットでは、ＢＦＲコアセットのＢＤ／ＣＣＥの数をＰＤＣＣＨのマッピング規則と見なすべきである。ＢＦＲコアセット／検索空間集合は、ＰＤＣＣＨのマッピング規則で最も高い優先順位を有し、既存のＰＤＣＣＨのマッピング規則は他の検索空間集合に適用されることができる。そうすると、ＣＳＳとＢＦＲ−検索空間のＣＣＥの和が端末の限界を超えないように保証されない限り、ＢＦＲ−検索空間がモニタリングされる際にＣＳＳを削除すべきこともある。多すぎる設定の柔軟性を招かないため、ＢＦＲ−検索空間をモニタリングする際に検索空間集合のインデックスに基づいてＣＳＳをドロップすることができる。
【０２３７】
提案３：ＢＦＲコアセットが時間領域で他のコアセットと重なると、少なくともＢＦＲ−コアセットと他のコアセットとの間のＱＣＬ情報が異なる場合、端末は前記他のコアセットでＰＤＣＣＨの候補をモニタリングする必要がない。
【０２３８】
提案４：ＢＦＲコアセット／検索空間集合は、モニタリングされる際にＰＤＣＣＨの候補のマッピング規則に対して（検索空間類型に関係なく）最も高い優先順位を有することができる。他のコアセットと関連したＣＳＳは、ＢＦＲ検索空間がモニタリングされる際に検索空間集合のインデックスによってドロップされることができる。
【０２３９】
前記では、互いに異なるＴＣＩ状態（ＴＣＩ  ｓｔａｔｅ）が設定された多数のコアセットが時間領域で一部又は全てが重なる（ｏｖｅｒｌａｐ）場合、前記重なった領域でのＴＣＩ状態をコアセット間の優先順位（ｐｒｉｏｒｉｔｙ）等により仮定することを提案したことがある。本発明では、さらに前記で提案した優先順位の規則（ｐｒｉｏｒｉｔｙ  ｒｕｌｅ）を適用する方法を提案する。下記で提案する方式は、前記で提案したオプション（ｏｐｔｉｏｎ）のうち、優先順位の低いコアセットに対するモニタリングを行わないオプションにのみ適用されることもある。
【０２４０】
＜重なるコアセット間でのＴＣＩ仮定（ａｓｓｕｍｐｔｉｏｎ）＞
【０２４１】
方法１）端末のレポートによるＴＣＩ仮定
【０２４２】
図１４は、本発明の一実施例に係る基地局と端末間の動作方法を例示する。
【０２４３】
図１４を参照すると、基地局（又はネットワーク）は、特定のパラメータ、例えば、「ｇｒｏｕｐＢａｓｅｄＢｅａｍＲｅｐｏｒｔｉｎｇ」というパラメータを端末に送信することができる（Ｓ１４１）。前記パラメータを介して、基地局は端末が同時に受信できるビームグループ（ｂｅａｍ  ｇｒｏｕｐ）をレポートするか否かを設定することができる。
【０２４４】
例えば、上位層のパラメータである「ｒｅｐｏｒｔＱｕａｎｔｉｔｙ」が「ｃｒｉ−ＲＳＲＰ」又は「ｓｓｂ−Ｉｎｄｅｘ−ＲＳＲＰ」に設定された「ＣＳＩ−ＲｅｐｏｒｔＣｏｎｆｉｇ」を端末が設定を受けた場合、
【０２４５】
１）もし、前記パラメータ「ｇｒｏｕｐＢａｓｅｄＢｅａｍＲｅｐｏｒｔｉｎｇ」が「ｄｉｓａｂｌｅｄ」に設定されると、端末は６４個の資源（ＣＳＩ−ＲＳ又はＳＳＢ）よりも多くの資源に対する測定を更新することが要求されず、前記端末は各レポートの設定に対して、互いに異なるＣＲＩ（ＣＳＩ−ＲＳ  ｒｅｓｏｕｒｃｅ  ｉｎｄｉｃａｔｏｒ）又はＳＳＢＲＩ（ＳＳＢ  ｒｅｓｏｕｒｃｅ  ｉｎｄｉｃａｔｏｒ）を単一レポート「ｎｒｏｆＲｅｐｏｒｔｅｄＲＳ」で報告すべきである。
【０２４６】
２）もし、前記パラメータ「ｇｒｏｕｐＢａｓｅｄＢｅａｍＲｅｐｏｒｔｉｎｇ」が「ｅｎａｂｌｅｄ」に設定されると、端末は６４個の資源（ＣＳＩ−ＲＳ又はＳＳＢ）よりも多くの資源に対する測定を更新することが要求されず、前記端末は各レポートの設定に対して、互いに異なる２つのＣＲＩ又はＳＳＢＲＩを単一レポートの機会（時点）で報告すべきである。ここで、ＣＳＩ−ＲＳ及び／又はＳＳＢ資源は、単一の空間領域の受信フィルタ（ＲＸ  ｂｅａｍ）を用いて端末によって同時に受信されることができるか、又は複数の空間領域の受信フィルタを用いて受信されることができる。
【０２４７】
端末は上位層のパラメータ「ｇｒｏｕｐＢａｓｅｄＢｅａｍＲｅｐｏｒｔｉｎｇ」が「ｅｎａｂｌｅｄ」に設定された場合、同時受信が可能なＴＣＩ状態（ＣＲＩ又はＳＳＢＲＩ）をレポートすることができる（Ｓ１４２）。例えば、端末は一度のレポートに二つの異なるＣＲＩ又はＳＳＢＲＩを報告することができる。これは、報告される二つのＣＳＩ−ＲＳ又はＳＳＢに関するＴＣＩ状態は、端末が同時に受信できるということを意味する。但し、この場合、端末が同一の受信ビームに受信するか、互いに異なる受信ビームに受信するかは指示しなくてもよい。これは、互いに異なるＴＣＩ状態であっても、端末が同時に受信できる場合が発生し、端末が該当情報をネットワークに報告するということを意味することができる。
【０２４８】
基地局と端末は、オーバーラップされるコアセットに対する優先順位の規則の適用可否を、前記レポートに基づいて決定できる（Ｓ１４３）。
【０２４９】
例えば、同時受信が可能であると端末がレポートした多数のＴＣＩ状態が同一のシンボルに設定される場合、前述した優先順位の規則を適用しなくてもよい。即ち、ＴＣＩ状態が互いに異なるコアセットが時間領域でオーバーラップされる場合に、前記コアセットのＴＣＩ状態が、端末が同時受信が可能なものであれば、前述した優先順位の規則を適用せず、前記コアセットで全て制御チャネルのモニタリングを行うことができる。反面、オーバーラップされるコアセットのＴＣＩ状態が同時に受信できないＴＣＩ状態である場合、前記で提案した優先順位の規則が適用できる。即ち、ＴＣＩ状態が互いに異なるコアセットが時間領域（シンボル）で重なる場合、その重なったシンボルでコアセット又はＴＣＩ状態に対する優先順位の規則の適用有無は、端末の（ビームグループ）レポートに基づいて決定されるということを意味することができる。
【０２５０】
オーバーラップされるコアセットのＴＣＩ状態が異なって設定され、端末が該当ＴＣＩ状態を同一の受信ビームを用いて受信できるとしても、該当ＴＣＩ状態の組み合わせが、端末がレポートしたビームグループと一致しない場合（即ち、レポートされない組み合わせである場合）には、前記で提案した優先順位の規則によってオーバーラップされる領域のＴＣＩ状態を仮定することができる。これは、前記で提案した優先順位の規則が（ネットワークと端末が共通して認知する）端末の受信ビームを基準に適用されるということを意味することもできる。
【０２５１】
方法２）ネットワークのシグナリングによるＴＣＩ仮定（ａｓｓｕｍｐｔｉｏｎ）
【０２５２】
前記では端末の報告（レポート）に基づき、オーバーラップされるコアセットに優先順位の規則を適用するか否かを決定することを提案した。本発明では、また別の方法で、ネットワークのシグナリングに基づいて、前記で提案した優先順位の規則の適用可否を決定することを提案する。
【０２５３】
ＮＲでネットワークはＴＲＳ（Ｔｒａｃｋｉｎｇ  Ｒｅｆｅｒｅｎｃｅ  Ｓｉｇｎａｌ）、ＣＳＩ−ＲＳ（ＢＭ、ＣＳＩ、又はトラッキングのための）、ＳＳＢ間のＱＣＬ関係をＲＲＣ信号のような上位層の信号を介してシグナリングできる。ＮＲで定義するＱＣＬタイプは下記の通りである。これについては、表４を参照して既に説明している。
【０２５４】
１）「ＱＣＬ−ＴｙｐｅＡ」：｛ドップラーシフト、ドップラースプレッド、平均遅延、遅延スプレッド｝、２）「ＱＣＬ−ＴｙｐｅＢ」：｛ドップラーシフト、ドップラースプレッド｝、３）「ＱＣＬ−ＴｙｐｅＣ」：｛平均遅延、ドップラーシフト｝、４）「ＱＣＬ−ＴｙｐｅＤ」：｛空間受信パラメータ｝
【０２５５】
ネットワークは互いに異なるＲＳ間のＱＣＬ関係を下記のような方式で指示できる。下記表において、「Ａ  −＞  Ｂ」のような表記方式は、ＡとＢはｔｙｐｅ  Ｄ  ＱＣＬを仮定することができ、ＡがＢの基準（ｒｅｆｅｒｅｎｃｅ）であることを意味することができる。
【０２５６】
【表６】
0006961073.tif 000007
【０２５７】
表６から分かるように、ネットワークはＴＣＩ状態で定義されることができるＲＳ（例えば、ＳＳＢ、ＣＳＩ−ＲＳ、ＴＲＳ）間のＱＣＬ仮定をＲＲＣシグナリング等を通じて端末に知らせることができる。一例として、ＰＤＣＣＨのＤＭＲＳに対するｔｙｐｅ  Ｄ  ＱＣＬの基準は、ＳＳＢ、ＴＲＳ、ビーム管理のためのＳＣＩ−ＲＳ等で与えられる。また、ＣＳＩ−ＲＳのＱＣＬの基準は、ＣＳＩ−ＲＳの設定に含まれることができ、ＳＳＢ、ＴＲＳ、ＣＳＩ−ＲＳ等がＱＣＬの基準に設定されることができる。
【０２５８】
本発明では、ＲＲＣシグナリング等によって端末に知られたＱＣＬの組み合わせをコアセットにも適用することを提案する。即ち、コアセットの設定に含まれている該当コアセットのＴＣＩ状態と、ＲＲＣシグナリング等によって知られたＴＣＩ状態間のＱＣＬの組み合わせを総合し、前記で提案した優先順位の規則の適用有無を決定することを提案する。
【０２５９】
例えば、時間領域でオーバーラップされる互いに異なるコアセットのＴＣＩ状態がそれぞれＳＳＢ＃２、ＣＳＩ−ＲＳ＃８である場合、ネットワークのＱＣＬの組み合わせに関するＲＲＣシグナリングにＳＳＢ＃２とＣＳＩ−ＲＳ＃８がｔｙｐｅ  Ｄ  ＱＣＬを仮定するように指示されれば、該当オーバーラップされる領域で優先順位の規則を適用する必要がなく、端末は各コアセットに対してブラインドデコーディングを行うことができる。反面、ネットワークのＲＲＣシグナリングに該当ＴＣＩ状態間のＱＣＬ関係が設定されていない場合、端末は前記で提案した優先順位の規則を適用してブラインドデコーディングを行うＰＤＣＣＨのマッピングを行うことができる。
【０２６０】
また別の例として、時間領域でオーバーラップされる互いに異なるコアセットのＴＣＩ状態がそれぞれＣＳＩ−ＲＳ＃５とＣＳＩ−ＲＳ＃６に設定され、ネットワークのＱＣＬの組み合わせに関するＲＲＣシグナリングでＣＳＩ−ＲＳ＃５のｔｙｐｅ  Ｄ  ＱＣＬの基準がＳＳＢ＃４であり、ＣＳＩ−ＲＳ＃６のｔｙｐｅ  Ｄ  ＱＣＬの基準もＳＳＢ＃４と同一であれば、該当オーバーラップ領域では、優先順位の規則を適用せず（例えば、より低い優先順位を有するコアセットに対するモニタリングのスキップを行わず）、各コアセットに対するモニタリングを行うことができる。端末は各コアセット別に設定されるＴＣＩ状態間のｔｙｐｅ  Ｄ  ＱＣＬ関係を端末のレポートに基づき、及び／又はネットワークのＱＣＬ関連のシグナリングに基づいて導出できる。
【０２６１】
図１５は、本発明に係る端末の制御チャネルのモニタリング方法を例示する。
【０２６２】
図１５を参照すると、複数の制御資源集合（ｃｏｎｔｒｏｌ  ｒｅｓｏｕｒｃｅ  ｓｅｔ：ＣＯＲＥＳＥＴ、コアセット）で物理ダウンリンク制御チャネル（ｐｈｙｓｉｃａｌ  ｄｏｗｎｌｉｎｋ  ｃｏｎｔｒｏｌ  ｃｈａｎｎｅｌ：ＰＤＣＣＨ）のモニタリング時点（ｏｃｃａｓｉｏｎ）が重なる（ｏｖｅｒｌａｐ）場合、端末は前記複数の制御資源集合のうち、少なくとも一つの制御資源集合を選択する（Ｓ１５１）。
【０２６３】
端末は選択された少なくとも一つの制御資源集合でのみＰＤＣＣＨをモニタリングするが、前記少なくとも一つの制御資源集合として第１制御資源集合を選択した場合、前記第１制御資源集合の第１参照信号と第２制御資源集合の第２参照信号とが同一のＳＳＢ（ｓｙｎｃｈｒｏｎｉｚａｔｉｏｎ  ｓｉｇｎａｌ／ＰＢＣＨ  ｂｌｏｃｋ）に関連すると、前記第２資源集合でもＰＤＣＣＨをモニタリングする（Ｓ１５２）。
【０２６４】
端末は（コアセット決定の目的において）前記第１制御資源集合と前記第２制御資源集合とを同一のＱＣＬ（Ｑｕａｓｉ  Ｃｏ  Ｌｏｃａｔｉｏｎ）特性（例えば、ＱＣＬ−ＴｙｐｅＤ）を有する制御資源集合と仮定できる。前述したように、前記ＱＣＬ−ＴｙｐｅＤ特性は、空間受信パラメータ（ｓｐａｔｉａｌ  Ｒｘ  ｐａｒａｍｅｔｅｒ）に関するものであり得る。
【０２６５】
一方、図１５の方法は、図１２の方法と組み合わせて使用することもできる。即ち、前記少なくとも一つの制御資源集合を選択することにおいて、共通検索空間（ｃｏｍｍｏｎ  ｓｅａｒｃｈ  ｓｐａｃｅ：ＣＳＳ）を含む制御資源集合の優先順位が端末特定的検索空間（ＵＥ−ｓｐｅｃｉｆｉｃ  ｓｅａｒｃｈ  ｓｐａｃｅ：ＵＳＳ）を含む制御資源集合の優先順位に比べて高いものとし、制御資源集合（コアセット）を選択することができる。
【０２６６】
また、前記少なくとも一つの制御資源集合を選択することにおいて、共通検索空間（ＣＳＳ）を含む制御資源集合が複数個ある場合、最も低いインデックスを有する共通検索空間を含む制御資源集合を選択することができる。
【０２６７】
また、前記複数の制御資源集合のうち、共通検索空間（ＣＳＳ）を含む最も低いインデックスのセルから最も低いインデックスのＣＳＳ集合に対応する制御資源集合を選択することができる。
【０２６８】
図１６は、図１５で説明した同一のＳＳＢに関連した２個の参照信号を例示する。
【０２６９】
図１６を参照すると、第１セルの第１コアセット１６１に位置した第１のＣＳＩ−ＲＳと、第２セルの第２コアセット１６２に位置した第２のＣＳＩ−ＲＳとは、同一のＳＳＢに関連し得る。このような場合、前記２個のＣＳＩ−ＲＳは、同一のＱＣＬ−ＴｙｐｅＤ特性を有すると仮定されることができる。コアセットを決定する目的の場合において、ＳＳ／ＰＢＣＨブロックはＣＳＩ−ＲＳとは異なるＱＣＬ−ＴｙｐｅＤ特性を有するものと見なされることができる。コアセットを決定するための目的の場合においては、第１セルのＳＳ／ＰＢＣＨブロックと関連した第１のＣＳＩ−ＲＳ及び前記ＳＳ／ＰＢＣＨブロックと関連する第２セルの第２のＣＳＩ−ＲＳは、同一のＱＣＬ−ＴｙｐｅＤ特性を有するものと見なされる（仮定される）ことができる。端末は複数のコアセットでＰＤＣＣＨのモニタリング時点（ｏｃｃａｓｉｏｎ）が重なる（ｏｖｅｒｌａｐ）場合、特定のコアセットを選択（例えば、ＣＳＳを含む最も低いインデックスを有するセルから最も低いインデックスを有するＣＳＳ集合に対応するコアセット）し、前記特定のコアセットでのみＰＤＣＣＨをモニタリングすることができる。このとき、前記特定のコアセットと同一のＱＣＬ−ＴｙｐｅＤ特性を有する他のコアセットがあれば、その他のコアセットでもＰＤＣＣＨをモニタリングする。例えば、前記特定のコアセットが前記第１コアセットであれば、前記他のコアセットは、前記第２コアセットになることができる。
【０２７０】
＜オーバーラップ処理（Ｏｖｅｒｌａｐ  ｈａｎｄｌｉｎｇ）と複雑度処理（ｃｏｍｐｌｅｘｉｔｙ  ｈａｎｄｌｉｎｇ）＞
【０２７１】
本発明では、ＴＣＩ状態が互いに異なるコアセットが時間領域でオーバーラップする場合に対する優先順位の規則、及びＰＤＣＣＨのマッピング規則を提案した。ＮＲでは、さらにブラインド検出（ｂｌｉｎｄ  ｄｅｔｅｃｔｉｏｎ）及びチャネル推定複雑度（ｃｈａｎｎｅｌ  ｅｓｔｉｍａｔｉｏｎ  ｃｏｍｐｌｅｘｉｔｙ）に基づいた優先順位の規則、及びＰＤＣＣＨのマッピング規則が存在し、これは特定のスロットで事前に定義された制限（ｌｉｍｉｔ）を超えるブラインドデコーディング及びチャネル推定が設定される場合、優先順位の規則によって、ＰＤＣＣＨをマッピングする方法を定義する。
【０２７２】
本発明では、オーバーラップ処理のためのＰＤＣＣＨのマッピング規則と複雑度処理のためのＰＤＣＣＨのマッピング規則の適用順序を提案する。
【０２７３】
複雑度処理がオーバーラップ処理に比べて優先的に行われる場合、端末のＢＤ（ブラインドデコーディング）／ＣＥ（チャネル推定）能力に合わせておいた候補の数等がさらに減少し得るので、端末能力の側面で浪費を招くことができる。従って、一般にオーバーラップ処理のためのＰＤＣＣＨのマッピング規則が、複雑度処理のためのＰＤＣＣＨのマッピング規則よりも優先して行われることを提案する。
【０２７４】
反面、端末の電力節減（ｐｏｗｅｒ  ｓａｖｉｎｇ）のためには、候補の数をできるだけ多く減らすことが好ましい。従って、本発明ではさらにネットワークにより（或いは黙示的に）優先的に行うＰＤＣＣＨのマッピング規則が決定されることを提案する。一例として、ネットワークがどんなＰＤＣＣＨのマッピング規則を先に適用するかに対する情報を上位層のシグナリングを介して指示するか、端末が電力節減モードに変換する時点がネットワークと端末間に同じ理解（ｓａｍｅ  ｕｎｄｅｒｓｔａｎｄｉｎｇ）によって決定される場合、端末は電力節減モードへの切り替え条件を満たす場合、複雑度処理のためのＰＤＣＣＨのマッピング規則を先に行い、以降オーバーラップ処理のためのＰＤＣＣＨのマッピング規則を行うこともできる。
【０２７５】
図１７は、本発明を行う送信装置１８１０及び受信装置１８２０の構成要素を示すブロック図である。ここで、前記送信装置及び受信装置は、それぞれ基地局又は端末であり得る。
【０２７６】
送信装置１８１０及び受信装置１８２０は、情報及び／又はデータ、信号、メッセージ等を運ぶ無線信号を送信又は受信することができる送受信機１８１２、１８２２と、無線通信システム内の通信に関する各種情報を格納するメモリ１８１３、１８２３、前記送受信機１８１２、１８２２、及びメモリ１８１３、１８２３等の構成要素と連結され、前記構成要素を制御して該当装置が前述した本発明の実施例のうち少なくとも一つを行うようにメモリ１８１３、１８２３及び／又は送受信機１８１２、１８２２を制御するように構成された（ｃｏｎｆｉｇｕｒｅｄ）プロセッサ１８１１、１８２１をそれぞれ含むことができる。ここで、送受信機はトランシーバーとも呼ばれ得る。
【０２７７】
メモリ１８１３、１８２３は、プロセッサ１８１１、１８２１の処理及び制御のためのプログラムを格納することができ、入／出力される情報を仮格納することができる。メモリ１８１３、１８２３はバッファーとして活用されることができる。
【０２７８】
プロセッサ１８１１、１８２１は、通常、送信装置又は受信装置内の各種モジュールの全般的な動作を制御する。特に、プロセッサ１８１１、１８２１は、本発明を行うための各種制御機能を行うことができる。プロセッサ１８１１、  １８２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）等とも呼ばれ得る。プロセッサ１８１１、１８２１は、ハードウェア（ｈａｒｄｗａｒｅ）又はファームウェア（ｆｉｒｍｗａｒｅ）、ソフトウェア、又はこれらの結合によって具現されることができる。ハードウェアを用いて本発明を具現する場合には、本発明を行うように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）又はＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）等がプロセッサ１８１１、１８２１に備えられることができる。一方、ファームウェアやソフトウェアを用いて本発明を具現する場合には、本発明の機能又は動作を行うモジュール、手続又は関数等を含むようにファームウェアやソフトウェアが構成されることができ、本発明を行えるように構成されたファームウェア又はソフトウェアは、プロセッサ１８１１、１８２１内に備えられるか、メモリ１８１３、１８２３に格納されてプロセッサ１８１１、１８２１によって駆動されることができる。
【０２７９】
送信装置１８１０のプロセッサ１８１１は、外部へ送信する信号及び／又はデータに対して、所定の符号化（ｃｏｄｉｎｇ）及び変調（ｍｏｄｕｌａｔｉｏｎ）を行った後、送受信機１８１２へ送信することができる。例えば、プロセッサ１８１１は、送信しようとするデータ列を逆多重化及びチャネル符号化、スクランブリング、変調過程などを経てコードワードを生成することができる。コードワードは、ＭＡＣ層が提供するデータブロックである送信ブロックと等価の情報を含むことができる。一つの転送ブロック（ｔｒａｎｓｐｏｒｔ  ｂｌｏｃｋ、ＴＢ）は、一つのコードワードで符号化できる。各コードワードは、一つ以上のレイヤーを介して受信装置に送信されることができる。周波数アップコンバート（ｆｒｅｑｕｅｎｃｙ  ｕｐ−ｃｏｎｖｅｒｔ）のために送受信機１８１２はオシレーター（ｏｓｃｉｌｌａｔｏｒ）を含むことができる。送受信機１８１２は一つ又は複数の送信アンテナを含むことができる。
【０２８０】
受信装置１８２０の信号処理過程は、送信装置１８１０の信号処理過程の逆で構成されることができる。プロセッサ１８２１の制御下で、受信装置１８２０の送受信機１８２２は送信装置１８１０によって送信された無線信号を受信することができる。前記送受信機１８２２は、一つ又は複数個の受信アンテナを含むことができる。前記送受信機１８２２は、受信アンテナを介して受信された信号のそれぞれを周波数ダウンコンバートして（ｆｒｅｑｕｅｎｃｙ  ｄｏｗｎ−ｃｏｎｖｅｒｔ）基底帯域信号に復元できる。送受信機１８２２は、周波数ダウンコンバートのためにオシレーターを含むことができる。前記プロセッサ１８２１は、受信アンテナを介して受信された無線信号に対する複号（ｄｅｃｏｄｉｎｇ）及び復調（ｄｅｍｏｄｕｌａｔｉｏｎ）を行い、送信装置１８１０が元々送信しようとしたデータを復元できる。
【０２８１】
送受信機１８１２、１８２２は、一つ又は複数個のアンテナを備えることができる。アンテナは、プロセッサ１８１１、１８２１の制御下で、本発明の一実施例に係って、送受信機１８１２、１８２２により処理された信号を外部へ送信するか、外部から無線信号を受信して送受信機１８１２、１８２２へ伝達する機能を行うことができる。アンテナはアンテナポートとも称し得る。各アンテナは、一つの物理アンテナに該当するか、一つよりも多い物理アンテナ要素（ｅｌｅｍｅｎｔ）の組み合わせによって構成される（ｃｏｎｆｉｇｕｒｅｄ）ことができる。各アンテナから送信された信号は、受信装置１８２０によってこれ以上分解できない。該当アンテナに対応して送信された参照信号（ｒｅｆｅｒｅｎｃｅ  ｓｉｇｎａｌ、ＲＳ）は受信装置１８２０の観点から見たアンテナを定義し、チャネルが一つの物理アンテナからの単一（ｓｉｎｇｌｅ）無線チャネルなのか、又は前記アンテナを含む複数の物理アンテナ要素（ｅｌｅｍｅｎｔ）からの合成（ｃｏｍｐｏｓｉｔｅ）チャネルなのかに関係なく、前記受信装置１８２０にとって前記アンテナに対するチャネル推定を可能にすることができる。即ち、アンテナは、前記アンテナ上のシンボルを伝達するチャネルが、前記同じアンテナ上の他のシンボルが伝達される前記チャネルから導出されることができるように定義できる。複数のアンテナを利用してデータを送受信する多重入出力（Ｍｕｌｔｉ−Ｉｎｐｕｔ  Ｍｕｌｔｉ−Ｏｕｔｐｕｔ、ＭＩＭＯ）機能を支援するトランシーバーの場合には、２本以上のアンテナと連結されることができる。
【０２８２】
図１８は、送信装置１８１０内の信号処理モジュール構造の一例を示す。ここで、信号処理は、図１９のプロセッサ１８１１、１８２１のような基地局／端末のプロセッサで行われることができる。
【０２８３】
図１８を参照すると、端末又は基地局内の送信装置１８１０は、スクランブラー３０１、モジュレーター３０２、レイヤーマッパー３０３、アンテナポートマッパー３０４、資源ブロックマッパー３０５、信号生成器３０６を含むことができる。
【０２８４】
送信装置１８１０は、一つ以上のコードワード（ｃｏｄｅｗｏｒｄ）を送信することができる。各コードワード内符号化されたビット（ｃｏｄｅｄ  ｂｉｔｓ）は、それぞれスクランブラー３０１によってスクランブリングされ、物理チャネル上で送信される。コードワードはデータ列とも称され得、ＭＡＣ層が提供するデータブロックである転送ブロックと等価であり得る。
【０２８５】
スクランブルされたビットは、モジュレータ３０２により複素変調シンボル（Ｃｏｍｐｌｅｘ−ｖａｌｕｅｄ  ｍｏｄｕｌａｔｉｏｎ  ｓｙｍｂｏｌｓ）に変調される。モジュレータ３０２は、前記スクランブルされたビットを変調方式によって変調して信号コンステレーション（ｓｉｇｎａｌ  ｃｏｎｓｔｅｌｌａｔｉｏｎ）上の位置を表現する複素変調シンボルに配置できる。変調方式（ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）などが前記符号化されたデータの変調に利用されることができる。モジュレータは、モジュレーションマッパ（ｍｏｄｕｌａｔｉｏｎ  ｍａｐｐｅｒ）とも呼ばれる。
【０２８６】
前記複素変調シンボルは、レイヤマッパ３０３により一つ以上の送信レイヤにマッピングされることができる。各レイヤ上の複素変調シンボルは、アンテナポート上での送信のためにアンテナポートマッパ３０４によりマッピングされることができる。
【０２８７】
リソースブロックマッパ３０５は、各アンテナポートに対する複素変調シンボルを送信のために割り当てられた仮想リソースブロック（Ｖｉｒｔｕａｌ  Ｒｅｓｏｕｒｃｅ  Ｂｌｏｃｋ）内の適切なリソース要素にマッピングすることができる。リソースブロックマッパは、前記仮想リソースブロックを適切なマッピング技法（ｍａｐｐｉｎｇ  ｓｃｈｅｍｅ）によって物理リソースブロック（Ｐｈｙｓｉｃａｌ  Ｒｅｓｏｕｒｃｅ  Ｂｌｏｃｋ）にマッピングすることができる。前記リソースブロックマッパ３０５は、前記各アンテナポートに対する複素変調シンボルを適切な副搬送波に割り当て、ユーザによって多重化できる。
【０２８８】
信号生成器３０６は、前記各アンテナポートに対する複素変調シンボル、即ち、アンテナ特定シンボルを特定変調方式、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調し、複素時間ドメイン（ｃｏｍｐｌｅｘ−ｖａｌｕｅｄ  ｔｉｍｅ  ｄｏｍａｉｎ）ＯＦＤＭシンボル信号を生成することができる。信号生成器は、アンテナ特定シンボルに対してＩＦＦＴ（Ｉｎｖｅｒｓｅ  Ｆａｓｔ  Ｆｏｕｒｉｅｒ  Ｔｒａｎｓｆｏｒｍ）を実行することができ、ＩＦＦＴが実行された時間ドメインシンボルにはＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップ変換などを経て各送信アンテナを介して受信装置に送信される。信号生成器は、ＩＦＦＴモジュール及びＣＰ挿入機、ＤＡＣ（Ｄｉｇｉｔａｌ−ｔｏ−Ａｎａｌｏｇ  Ｃｏｎｖｅｒｔｅｒ）、周波数アップ変換器（ｆｒｅｑｕｅｎｃｙ  ｕｐ−ｃｏｎｖｅｒｔｅｒ）などを含むことができる。
【０２８９】
図１９は、送信装置１８１０内の信号処理モジュール構造の別の例を示す。ここで、信号処理は、図１９のプロセッサ１８１１、１８２１等端末／基地局のプロセッサで行われることができる。
【０２９０】
図１９を参照すると、端末又は基地局内の送信装置１８１０は、スクランブラー４０１、モジュレーター４０２、レイヤーマッパー４０３、プリコーダ４０４、資源ブロックマッパー４０５、信号生成器４０６を含むことができる。
【０２９１】
送信装置１８１０は、一つのコードワードに対して、コードワード内符号化されたビット（ｃｏｄｅｄ  ｂｉｔｓ）をスクランブラー４０１によってスクランブリングした後、物理チャネルを介して送信できる。
【０２９２】
スクランブルされたビットは、モジュレータ４０２により複素変調シンボルに変調される。前記モジュレータは、前記スクランブルされたビットを既決定された変調方式によって変調して信号コンステレーション（ｓｉｇｎａｌ  ｃｏｎｓｔｅｌｌａｔｉｏｎ）上の位置を表現する複素変調シンボルに配置できる。変調方式（ｍｏｄｕｌａｔｉｏｎ  ｓｃｈｅｍｅ）には制限がなく、ｐｉ／２−ＢＰＳＫ（ｐｉ／２−Ｂｉｎａｒｙ  Ｐｈａｓｅ  Ｓｈｉｆｔ  Ｋｅｙｉｎｇ）、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）などが前記符号化されたデータの変調に利用されることができる。
【０２９３】
前記複素変調シンボルは、前記レイヤマッパ４０３により一つ以上の送信レイヤにマッピングされることができる。
【０２９４】
各レイヤ上の複素変調シンボルは、アンテナポート上での送信のためにプリコーダ４０４によりプリコーディングされることができる。ここで、プリコーダは、複素変調シンボルに対するトランスフォームプリコーディング（ｔｒａｎｓｆｏｒｍ  ｐｒｅｃｏｄｉｎｇ）を実行した以後にプリコーディングを実行することもできる。または、プリコーダは、トランスフォームプリコーディングを実行せずにプリコーディングを実行することもできる。プリコーダ４０４は、前記複素変調シンボルを多重送信アンテナによるＭＩＭＯ方式に処理してアンテナ特定シンボルを出力し、前記アンテナ特定シンボルを該当リソースブロックマッパ４０５に分配できる。プリコーダ４０４の出力ｚは、レイヤマッパ４０３の出力ｙとＮ×Ｍのプリコーディング行列Ｗをかけて得ることができる。ここで、Ｎはアンテナポートの個数であり、Ｍはレイヤの個数である。
【０２９５】
リソースブロックマッパ４０５は、各アンテナポートに対する復調変調シンボルを送信のために割り当てられた仮想リソースブロック内にある適切なリソース要素にマッピングする。
【０２９６】
リソースブロックマッパ４０５は、複素変調シンボルを適切な副搬送波に割り当て、ユーザによって多重化できる。
【０２９７】
信号生成器４０６は、複素変調シンボルを特定変調方式、例えば、ＯＦＤＭ方式に変調して複素時間ドメイン（ｃｏｍｐｌｅｘ−ｖａｌｕｅｄ  ｔｉｍｅ  ｄｏｍａｉｎ）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル信号を生成することができる。信号生成器４０６は、アンテナ特定シンボルに対してＩＦＦＴ（Ｉｎｖｅｒｓｅ  Ｆａｓｔ  Ｆｏｕｒｉｅｒ  Ｔｒａｎｓｆｏｒｍ）を実行することができ、ＩＦＦＴが実行された時間ドメインシンボルにはＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップ変換などを経て、各送信アンテナを介して受信装置に送信される。信号生成器４０６は、ＩＦＦＴモジュール及びＣＰ挿入機、ＤＡＣ（Ｄｉｇｉｔａｌ−ｔｏ−Ａｎａｌｏｇ  Ｃｏｎｖｅｒｔｅｒ）、周波数アップ変換器（ｆｒｅｑｕｅｎｃｙ  ｕｐ−ｃｏｎｖｅｒｔｅｒ）などを含むことができる。
【０２９８】
受信装置１８２０の信号処理過程は、送信機の信号処理過程の逆で構成されることができる。具体的に、受信装置１８２０のプロセッサ１８２１は、外部で送受信機１８２２のアンテナポートを介して受信された無線信号に対する複号（ｄｅｃｏｄｉｎｇ）及び復調（ｄｅｍｏｄｕｌａｔｉｏｎ）を行う。前記受信装置１８２０は、複数個の多重受信アンテナを含むことができ、受信アンテナを介して受信された信号のそれぞれは、基底帯域信号に復元された後、多重化及びＭＩＭＯ復調化を経て、送信装置１８１０が元々送信しようとしたデータ列に復元される。受信装置１８２０は、受信された信号を基底帯域信号に復元するための信号復元器、受信処理された信号を結合して多重化する多重化器、多重化された信号列を該当コードワードに復調するチャネル復調器を含むことができる。前記信号復元器及び多重化器、チャネル復調器は、これらの機能を行う統合された一つのモジュール又はそれぞれの独立したモジュールで構成されることができる。より具体的に、前記信号復元器は、アナログ信号をデジタル信号へ変換するＡＤＣ（ａｎａｌｏｇ−ｔｏ−ｄｉｇｉｔａｌ  ｃｏｎｖｅｒｔｅｒ）、前記デジタル信号からＣＰを除去するＣＰ除去器、ＣＰが除去された信号にＦＦＴ（ｆａｓｔ  Ｆｏｕｒｉｅｒ  ｔｒａｎｓｆｏｒｍ）を適用して周波数ドメインシンボルを出力するＦＦＴモジュール、前記周波数ドメインシンボルをアンテナの特定シンボルに復元する資源要素デマッパー（ｒｅｓｏｕｒｃｅ  ｅｌｅｍｅｎｔ  ｄｅｍａｐｐｅｒ）／等化器（ｅｑｕａｌｉｚｅｒ）を含むことができる。前記アンテナの特定シンボルは、多重化器によって送信レイヤーに復元され、前記送信レイヤーはチャネル復調器によって送信装置が送信しようとしたコードワードに復元される。
【０２９９】
図２０は、本発明の具現例に係る無線通信装置の一例を示す。
【０３００】
図２０を参照すると、無線通信装置、例えば、端末は、デジタル信号プロセッサ（Ｄｉｇｉｔａｌ  Ｓｉｇｎａｌ  Ｐｒｏｃｅｓｓｏｒ；ＤＳＰ）またはマイクロプロセッサなどのプロセッサ２３１０、トランシーバ２３３５、電力管理モジュール２３０５、アンテナ２３４０、バッテリ２３５５、ディスプレイ２３１５、キーパッド２３２０、ＧＰＳ（Ｇｌｏｂａｌ  Ｐｏｓｉｔｉｏｎｉｎｇ  Ｓｙｓｔｅｍ）チップ２３６０、センサー２３６５、メモリ２３３０、ＳＩＭ（Ｓｕｂｓｃｒｉｂｅｒ  Ｉｄｅｎｔｉｆｉｃａｔｉｏｎ  Ｍｏｄｕｌｅ）カード２３２５、スピーカ２３４５、マイクロホン２３５０のうち少なくとも一つを含むことができる。前記アンテナ及びプロセッサは、複数個である。
【０３０１】
プロセッサ２３１０は、本明細書で説明した機能、手順、方法を具現することができる。図２０のプロセッサ２３１０は、図１９のプロセッサ１８１１、１８２１である。
【０３０２】
メモリ２３３０は、プロセッサ２３１０と連結され、プロセッサの動作と関連した情報を格納する。メモリは、プロセッサの内部または外部に位置し、有線連結または無線連結のような多様な技術を介してプロセッサと連結されることができる。図２０のメモリ２３３０は、図１９のメモリ１８１３、１８２３である。
【０３０３】
ユーザは、キーパッド２３２０のボタンを押さえ、またはマイクロホン２３５０を利用したりして声を活性化させる等、多様な技術を利用して電話番号のような多様な種類の情報を入力することができる。プロセッサ２３１０は、ユーザの情報を受信してプロセシングし、入力された電話番号に電話を掛ける等、適切な機能を遂行することができる。一部シナリオでは、データが適切な機能を遂行するためにＳＩＭカード２３２５またはメモリ２３３０から検索されることができる。一部シナリオでは、プロセッサ２３１０は、ユーザの便宜のためにディスプレイ２３１５に多様な種類の情報とデータを表示することができる。
【０３０４】
トランシーバ２３３５は、プロセッサ２３１０と連結され、ＲＦ（Ｒａｄｉｏ  Ｆｒｅｑｕｅｎｃｙ）信号のような無線信号を送信及び／または受信する。プロセッサは、通信を開始し、または音声通信データなど、多様な種類の情報またはデータを含む無線信号を送信するためにトランシーバを制御することができる。トランシーバは、無線信号の送信及び受信のために送信機及び受信機を含む。アンテナ２３４０は、無線信号の送信及び受信を容易にすることができる。一部具現例として、トランシーバは、無線信号を受信すると、プロセッサによる処理のために信号を基底帯域周波数でフォワーディングして変換できる。処理された信号は、スピーカ２３４５を介して出力されるように可聴または読み取り可能な情報に変換される等、多様な技術により処理されることができる。図２０のトランシーバは、図１９のトランシーバ１８１２、１８１３である。
【０３０５】
図２０に示していないが、カメラ、ＵＳＢ（Ｕｎｉｖｅｒｓａｌ  Ｓｅｒｉａｌ  Ｂｕｓ）ポートなど、多様な構成要素が端末に追加的に含まれることができる。例えば、カメラは、プロセッサ２３１０と連結されることができる。
【０３０６】
図２０は、端末に対する一つの具現例に過ぎず、具現例は、これに制限されるものではない。端末は、図２０の全ての要素を必須的に含むべきものではない。即ち、一部構成要素、例えば、キーパッド２３２０、ＧＰＳ（Ｇｌｏｂａｌ  Ｐｏｓｉｔｉｏｎｉｎｇ  Ｓｙｓｔｅｍ）チップ２３６０、センサー２３６５、ＳＩＭカード２３２５などは、必須な要素でない場合もあり、この場合、端末に含まれないこともある。
【０３０７】
図２１は、端末側面のプロセッサを例示する。
【０３０８】
プロセッサ２０００は、モニタリング時点の判断及び資源選択モジュール２０１０、及びＰＤＣＣＨのモニタリングモジュール２０２０を含むことができる。プロセッサ２０００は、図１７乃至図２０でのプロセッサに該当し得る。
【０３０９】
モニタリング時点の判断及び資源選択モジュール２０１０は、複数の制御資源集合（ＣＯＲＥＳＥＴ）でＰＤＣＣＨのモニタリング時点（ｏｃｃａｓｉｏｎ）が重なる（ｏｖｅｒｌａｐ）か否かを識別し、前記ＰＤＣＣＨのモニタリング時点が重なる場合、前記複数の制御資源集合のうち少なくとも一つの制御資源集合を選択することができる。
【０３１０】
ＰＤＣＣＨのモニタリングモジュール２０２０は、前記複数の制御資源集合のうち、前記選択された少なくとも一つの制御資源集合でのみＰＤＣＣＨをモニタリングすることができる。
【０３１１】
図２２は、基地局側面のプロセッサを例示する。
【０３１２】
プロセッサ３０００は、資源割当モジュール３０１０、及び情報送信モジュール３０２０を含むことができる。プロセッサ３０００は、図１７乃至図２０でのプロセッサに該当し得る。
【０３１３】
資源割当モジュール３０１０は、端末に複数の制御資源集合（ＣＯＲＥＳＥＴ）を割り当てることができる。情報送信モジュール３０２０は、前記複数の制御資源集合（ＣＯＲＥＳＥＴ）のうち、特定の制御資源集合でのみＰＤＣＣＨを送信することができる。
【図１】
0006961073.tif 000008
【図２】
0006961073.tif 000009
【図３】
0006961073.tif 000010
【図４】
0006961073.tif 000011
【図５】
0006961073.tif 000012
【図６】
0006961073.tif 000013
【図７】
0006961073.tif 000014
【図８】
0006961073.tif 000015
【図９】
0006961073.tif 000016
【図１０】
0006961073.tif 000017
【図１１】
0006961073.tif 000018
【図１２】
0006961073.tif 000019
【図１３】
0006961073.tif 000020
【図１４】
0006961073.tif 000021
【図１５】
0006961073.tif 000022
【図１６】
0006961073.tif 000023
【図１７】
0006961073.tif 000024
【図１８】
0006961073.tif 000025
【図１９】
0006961073.tif 000026
【図２０】
0006961073.tif 000027
【図２１】
0006961073.tif 000028
【図２２】
0006961073.tif 000029